(57)【要約】【課題】本発明は音声データをＩＰパケットで授受するイーサネットＬＡＮのゲートウェイと端末とがＢｌｕｅｔｏｏｔｈで通信して端末間で通信を行う内線電話システムを提供する。【解決手段】内線電話システム１は、ゲートウェイ３ａ〜３ｎが、Ｂｌｕｅｔｏｏｔｈ規格で音声通信可能な音声データとイーサネットＬＡＮ２上で通信可能なＩＰパケットとを相互に変換して、イーサネットＬＡＮ２上で音声データ通信を行い、端末１０ａ〜１０ｍが、複数のゲートウェイ３ａ〜３ｎのうち最寄りのゲートウェイ３ａ〜３ｎ及びイーサネットＬＡＮ２を介して他の端末１０ａ〜１０ｍに対して通話要求を発信し、他の端末１０ａ〜１０ｍが、最寄りのゲートウェイ３ａ〜３ｎを介して通話要求を着信して、端末１０ａ〜１０ｍ同士が、ゲートウェイ３ａ〜３ｎ及びイーサネットＬＡＮ２を介して音声通話を行う。【選択図】　　　　　図１
2004104531.tif 000002
【特許請求の範囲】
【請求項１】
イーサネットＬＡＮに接続され当該イーサネットＬＡＮを介して相互に通信を行う複数のゲートウェイと、複数の端末とがＢｌｕｅｔｏｏｔｈ規格による音声通信を行う内線電話システムであって、前記ゲートウェイが、Ｂｌｕｅｔｏｏｔｈ規格で音声通信可能な音声データと前記イーサネットＬＡＮ上で通信可能なＩＰパケットとを相互に変換して、当該イーサネットＬＡＮ上で音声データ通信を行い、前記端末が、前記複数のゲートウェイのうち最寄りのゲートウェイ及び当該イーサネットＬＡＮを介して他の端末に対して通話要求を発信し、当該他の端末が、当該他の端末の最寄りのゲートウェイを介して当該通話要求を着信して、当該端末同士が、当該ゲートウェイ及び当該イーサネットＬＡＮを介して音声通話を行うことを特徴とする内線電話システム。
【請求項２】
イーサネットＬＡＮに接続され当該イーサネットＬＡＮを介して相互に通信を行う複数のゲートウェイと、複数の端末とがＢｌｕｅｔｏｏｔｈ規格による音声通信を行う内線電話システムであって、前記端末が、音声と前記イーサネットＬＡＮ上で通信可能なＩＰパケットとを相互に変換し、前記ゲートウェイが、ＢｌｕｅｔｏｏｔｈのＬＡＮ・アクセス・プロファイルのサーバまたはイーサネットＬＡＮに接続されているＰＡＮのゲートウェイとして機能し、前記端末が、ＢｌｕｅｔｏｏｔｈのＬＡＮ・アクセス・プロファイルのクライアントとして前記サーバに接続する機能を有して、当該機能により当該ゲートウェイを介して前記イーサネットＬＡＮにアクセスするとともに、前記ゲートウェイ及び前記イーサネットＬＡＮを介して、ＩＰパケットによる音声データ通信を行なう機能を有し、当該端末が、前記複数のゲートウェイのうち最寄りのゲートウェイ及び当該イーサネットＬＡＮを介して他の端末に対して通話要求を発信し、当該他の端末が、当該他の端末の最寄りのゲートウェイを介して当該通話要求を着信して、当該端末同士が、当該ゲートウェイ及び当該イーサネットＬＡＮを介しての音声通話を行うことを特徴とする内線電話システム。
【請求項３】
前記内線電話システムは、前記イーサネットＬＡＮに、一般加入電話回線の接続された外線用ゲートウェイが接続されており、当該外線用ゲートウェイが、当該イーサネットＬＡＮ上のＩＰパケットによる音声データと前記一般加入電話回線の音声通信とを変換する機能及び着信信号と発信信号の変換を行なう機能を有し、前記一般加入電話回線からの外線番号による前記端末の呼び出しと、前記端末からの前記一般加入電話回線への外線発信とを行い、前記一般加入電話回線で通信可能な電話端末と前記端末との音声通話を可能とすることを特徴とする請求項１または請求項２記載の内線電話システム。
【請求項４】
前記内線電話システムは、前記イーサネットＬＡＮに、前記端末の位置情報及び識別情報を管理するデータベースが接続されており、前記ゲートウェイが、自身に接続していて着信を受けることのできる前記端末の識別情報を取得し、前記データベースが、少なくとも前記ゲートウェイの前記イーサネットＬＡＮ上の識別情報と当該ゲートウェイに接続している前記端末の識別情報及び当該端末の所有者を識別する情報を組にして管理するとともに、前記イーサネットＬＡＮに前記外線用ゲートウェイが接続されている場合には、当該外線用ゲートウェイに接続されている一般加入電話回線の外線電話の電話番号と当該電話番号の所有者の識別情報を登録して管理し、前記ゲートウェイが、自身に接続している前記端末に関する情報に変更があると、前記データベースに変更内容を通知し、前記データベースが、当該通知に基づいて当該通知のあった端末に関する登録情報を変更し、前記ゲートウェイが、当該データベースを参照して、接続先の前記ゲートウェイを検索して通信の制御を行なうことを特徴とする請求項１から請求項３のいずれかに記載の内線電話システム。
【請求項５】
前記端末は、前記ゲートウェイの有している前記端末と前記データベースとのデータ通信の仲介機能を利用して、または、当該端末の有しているＬＡＮ・アクセス機能を用いて、前記ゲートウェイを介して前記データベースにアクセスし、通話相手を当該データベースから検索して、当該検索結果で特定した相手先に対して発信することを特徴とする請求項４記載の内線電話システム。
【請求項６】
前記データベースは、前記ゲートウェイの物理的な位置情報をも記録し、前記端末は、前記ゲートウェイの有している前記端末と前記データベースとのデータ通信の仲介機能を利用して、または、当該端末の有しているＬＡＮ・アクセス機能を用いて、前記ゲートウェイを介して前記データベースにアクセスし、当該端末の所有者の現在位置を取得することを特徴とする請求項４または請求項５記載の内線電話システム。
【請求項７】
前記端末は、他の端末から着信を受けると、前記データベースから当該発信側の端末の所有者の識別情報を取得することを特徴とする請求項６記載の内線電話システム。
【請求項８】
前記内線電話システムは、前記イーサネットＬＡＮが、一般加入電話回線に接続された外線用ゲートウェイに接続されており、前記端末の少なくとも１つが、当該一般加入電話回線を介して通話可能な携帯電話端末、ＰＨＳ端末等の外線無線携帯端末として機能し、当該外線無線携帯端末としての機能を有する端末の外線電話番号を前記データベースに登録して、当該端末への発信に際して、当該端末が前記一般加入電話回線に接続されていると、当該データベースに登録されている外線電話番号に転送することを特徴とする請求項１から請求項７のいずれかに記載の内線電話システム。
【請求項９】
前記内線電話システムは、前記イーサネットＬＡＮに、留守番電話サービスを行う留守番電話サービスサーバが接続されており、前記端末毎に、前記データベースに当該留守番電話サービスを利用する旨が登録可能であり、当該留守番電話サービスを利用する旨の登録されている前記端末に通話要求があると、前記ゲートウェイに当該通話要求を前記留守番電話サービスサーバに接続させ、当該留守番電話サービスサーバが、当該通話要求元の相手の当該端末宛の留守番電話メッセージを録音し、当該端末が、当該留守番電話サービスサーバから自己宛の留守番電話メッセージを取得可能とすることを特徴とする請求項４から請求項８のいずれかに記載の内線電話システム。
【請求項１０】
前記内線電話システムは、前記データベースに、前記端末の所有者の指定する電子メールアドレスを当該所有者を特定して登録可能であり、前記留守番電話サービスサーバは、前記留守番電話メッセージを録音すると、当該留守番電話メッセージの宛先の端末の所有者の電子メールアドレスを前記データベースから取得して、当該電子メールアドレス宛に少なくとも留守番電話メッセージが録音されている旨を電子メールで通知し、当該所有者の指定に応じて、前記録音している留守番電話メッセージを電子メールに添付して送信することを特徴とする請求項９記載の内線電話システム。
【請求項１１】
前記端末は、特定のゲートウェイからの自己宛以外の着信を代わりに受ける代理応答可能状態に設定可能であり、前記ゲートウェイは、着信のあった端末が代理応答依頼状態に設定されていると、着信を受けることのできない状態であるか、着信を拒否する場合に、着信先を前記特定のゲートウェイに切り換えて着信させ、当該着信を受けた特定のゲートウェイが、当該着信を前記代理応答可能状態に設定されている端末に接続し、当該代理応答可能状態の端末が、当該着信を代理で受けて通話することを特徴とする請求項１から請求項１０のいずれかに記載の内線電話システム。
【請求項１２】
前記端末は、着信音を消して、機械振動等で着信を通知するマナーモードを有し、当該マナーモードに設定されている状態で、特定のゲートウェイに接続すると、少なくとも当該ゲートウェイに接続している間は、当該マナーモードを自動解除するマナーモード自動解除機能を備えていることを特徴とする請求項１から請求項１１のいずれかに記載の内線電話システム。
【請求項１３】
前記端末は、いずれの前記ゲートウェイにも接続していない状態のときに、Ｂｌｕｅｔｏｏｔｈのインクワイアリー機能及びサービスディスカバリー機能を利用して、周期的に前記ゲートウェイを検索して、ゲートウェイを発見すると、音、機械振動、光または表示等の通知方法でゲートウェイを発見した旨を通知するとともに、当該ゲートウェイと接続を行うか否かの問い合わせの表示を行うことを特徴とする請求項１から請求項１２のいずれかに記載の内線電話システム。
【請求項１４】
前記端末は、いずれの前記ゲートウェイにも接続していない状態のときに、Ｂｌｕｅｔｏｏｔｈのインクワイアリー機能及びサービスディスカバリー機能を利用して、周期的に前記ゲートウェイを検索し、当該周期的なゲートウェイの検索で一定時間以上同じゲートウェイを発見し続けると、当該ゲートウェイに自動的に接続することを特徴とする請求項１から請求項１２のいずれかに記載の内線電話システム。
【請求項１５】
前記端末は、いずれの前記ゲートウェイにも接続していない状態のときに、Ｂｌｕｅｔｏｏｔｈのインクワイアリー機能及びサービスディスカバリー機能を利用して、周期的に前記ゲートウェイを検索して、当該周期的なゲートウェイの検索で一定時間以上複数のゲートウェイを発見し続けると、ゲートウェイとの接続時に、当該複数のゲートウェイのうち、受信電波強度の強い方のゲートウェイを接続先として選択して接続することを特徴とする請求項１３または請求項１４記載の内線電話システム。
【請求項１６】
前記ゲートウェイは、Ｂｌｕｅｔｏｏｔｈのインクワイアリー機能及びサービスディスカバリー機能を利用して、周期的に前記端末を検索して、端末を発見すると、当該発見した端末に音、機械振動、光または表示等を行わせる通知方法でゲートウェイを発見した旨を当該端末に通知するとともに、当該ゲートウェイと接続を行うか否かの問い合わせの表示を当該端末に行わせることを特徴とする請求項１から請求項１５のいずれかに記載の内線電話システム。
【請求項１７】
前記ゲートウェイは、Ｂｌｕｅｔｏｏｔｈのインクワイアリー機能及びサービスディスカバリー機能を利用して、周期的に前記端末を検索し、当該周期的な端末の検索で一定時間以上同じ端末を発見し続けると、当該端末に自動的に接続することを特徴とする請求項１から請求項１５のいずれかに記載の内線電話システム。
【請求項１８】
前記内線電話システムは、前記ゲートウェイとして、前記データベースにアクセスして当該データベースを検索する情報処理機能を備えたゲートウェイを少なくとも１つ備え、当該情報処理機能を備えたゲートウェイが、発信時、当該データベースを検索し、当該検索結果から当該情報処理機能を備えるゲートウェイの操作者が所望の通信相手を選択すると、当該選択された通信相手先に発信を行うとともに、当該ゲートウェイに接続している前記端末を、当該発信に対する応答待ち受け状態に制御し、発信相手の端末が応答すると、当該待ち受け状態の端末との通信を可能とすることを特徴とする請求項１から請求項１７のいずれかに記載の内線電話システム。
【請求項１９】
前記情報処理機能を備えたゲートウェイは、所定の表示装置を備え、接続している前記端末に対して着信があると、当該着信の発信者の識別情報を前記表示装置に表示することを特徴とする請求項１８記載の内線電話システム。
【発明の詳細な説明】
【０００１】
【発明の属する技術分野】
本発明は、内線電話システムに関し、詳細には、音声データをＩＰパケットで授受するイーサネット（登録商標）ＬＡＮのゲートウェイと端末とがＢｌｕｅｔｏｏｔｈで通信して端末間で通信を行う内線電話システムに関する。
【０００２】
【従来の技術】
【特許文献１】
特開平７−１３１８４２号公報
【特許文献２】
特開平１０−１１７２０７号公報
従来、内線電話は、各端末毎に電話ケーブルを引き、当該電話ケーブルを通して通話や通信を行っている。したがって、オフィスや工場のレイアウトを変更する場合、電話ケーブルの配線工事に手間やコストがかかる。ところが、内線電話を全て携帯電話やＰＨＳに変更すると、通信費が高くなるという問題がある。
【０００３】
この問題を解決する従来技術として、構内ＰＨＳ（Ｐｅｒｓｏｎａｌ　Ｈａｎｄｙ　Ｐｈｏｎｅ　Ｓｙｓｔｅｍ　）を内線電話として採用することが考えられる。すなわち、構内ＰＨＳを内線電話として採用すると、従来の内線電話よりも配線工事を簡略化することができるとともに、通信費も抑えることができる。また、各自がＰＨＳ端末を持ち歩くことで、自席以外の場所でも各自が通話することができ、一々転送設定を行なったり、代理の者が電話を転送したり、また、代わりに用件を聞く手間を省くことができる。
【０００４】
また、一方の技術的背景として、最近注目されているＶｏＩＰ（Ｖｏｉｃｅ　ｏｖｅｒ　Ｉｎｔｅｒｎｅｔ　Ｐｒｏｔｏｃｏｌ）等のＩＰ電話という通信方式があり、このＩＰ電話は、音声をＩＰパケットに変換して、ＬＡＮ（Ｌｏｃａｌ　Ａｒｅａ　Ｎｅｔｗｏｒｋ））上やＷＡＮ（Ｗｉｄｅ
Ａｒｅａ　Ｎｅｔｗｏｒｋ　）上で音声通話を可能とする技術である。
【０００５】
そして、ブロードバンド・インターネットの普及に伴い、インターネットの定額常時接続を行うユーザが増加し、ＩＰ電話を用いることで、通話料金を節約したいという欲求も高まっている。
【０００６】
また、ＩＰ電話は、音声のデータ圧縮を行っているため、通常の電話に比較して、占有帯域が狭くて済み、通信効率が高まることも利点の一つとして挙げられる。
【０００７】
さらに、ＩＰ電話は、オフィスでのパーソナルコンピュータを用いた業務で必須となっているＬＡＮのネットワークを用いることができ、電話回線を引く必要がなくなるという大きな利点がある。
【０００８】
そして、ＬＡＮを利用した従来技術としては、例えば、特許文献１の「複数の無線移動局を有する構内無線通信システムの通信制御方法」が提案されている。この通信制御方法は、通信の要求元である第１の無線移動局が、通信の宛先である第２の無線移動局のＬＡＮ識別符号及び自己の内線番号を含んだ呼出情報を、第１の無線基地局を介したＬＡＮ通信を利用して、全無線基地局に対してブロードキャストし、次いで、宛先となるＬＡＮ識別符号を登録している第２の無線基地局が、該呼出情報を受信して、無線を介して第２の無線移動局に転送する。次いで、第２の無線移動局が、該呼出情報に含まれる内線番号に対してダイヤルし、第１の無線移動局が発呼に応答することで、両無線移動局間の音声通信回線を接続して、構内無線通信システム内の全ての無線移動局に対する着信を可能としている。
【０００９】
すなわち、この従来技術は、ＬＡＮに接続された無線基地局と無線通信を行うことが可能な端末機を用いることで、専用回線を引くことなく、ＬＡＮの回線だけで、内線電話による通話を可能にしようとしている。また、この従来技術は、基地局のネットワーク上のアドレスと、基地局が割り当てたその基地局の無線ネットワーク上の内線番号を割り当てることで、端末同士が通話を行う場合、基地局がＬＡＮ上の全ての基地局に対してブロードキャストして、通信路を制御している。
【００１０】
また、従来、特許文献２の「モバイル端末接続方法及びネットワーク用ルータ」が提案されている。この従来技術は、構外では無線式電話機能、構内では無線式内線機能を持つ携帯型電話を内蔵した携帯型端末と、構内の無線式内線を接続のためのセル局を有するローカルエリアネットワーク間を接続するルータと、ＬＡＮに接続されたパーソナルコンピュータからなるシステムにおいて、仮想アドレスと呼ぶどのネットワークに接続しても変化しない固定のアドレスを持つ上記携帯型端末が定期的に発信する位置登録信号をルータで受けることにより、上記携帯型端末がどのルータの配下に内線式無線機能で接続されているかを認識するとともに、他のネットワークと接続するためのルータへ上記携帯型端末の接続位置情報を通知し、上記携帯型端末へのルーティング情報の更新を行い、ネットワーク上のパーソナルコンピュータや他の携帯型端末から上記携帯型端末への接続を確立可能とするものである。
【００１１】
【発明が解決しようとする課題】
しかしながら、このような従来技術にあっては、より一層利用性を向上させる上で改良の必要があった。
【００１２】
すなわち、近年、携帯電話やＰＨＳ等の携帯型電話機を個人で持つ人口が圧倒的に増加しており、このような状況の中で、私用の携帯型電話機の他に、業務用の単機能な構内ＰＨＳを持ち歩くのは煩わしく、不便であることから、業務用の構内ＰＨＳを持ち歩くのが面倒になって、持ち歩かなくなるという問題がある。
【００１３】
また、今日、Ｂｌｕｅｔｏｏｔｈという携帯電話やパーソナルコンピュータ、あるいは、ファクシミリ装置等の他の情報機器との相互接続性、消費電力、ネットワーク構築容易性に優れた通信規格が普及しつつある。また、Ｂｌｕｅｔｏｏｔｈユニットを携帯電話やＰＨＳ端末に外付けで接続できる商品も登場しており、このようなＢｌｕｅｔｏｏｔｈユニットを携帯電話やＰＨＳ端末に外付けで接続する形態で、社内にいるときにのみ、Ｂｌｕｅｔｏｏｔｈユニットを取り付けると、２つの携帯電話端末を持ち歩くという不便さから解消される。
【００１４】
また、Ｂｌｕｅｔｏｏｔｈは、他の情報機器との相互接続性に優れており、ＰＨＳに比較して、多くの種類の情報機器と容易に情報のやり取りを行なったり、他の機器を操作したりする機能を有している。
【００１５】
ところが、上記特許文献記載の従来技術にあっては、Ｂｌｕｅｔｏｏｔｈ端末による通信を行う内線電話システムを構築する場合、以下のような問題があった。
【００１６】
すなわち、特許文献１の従来技術にあっては、ＬＡＮ上をブロードキャストする仕組みになっていたため、Ｂｌｕｅｔｏｏｔｈのような近距離無線通信方式では、通信範囲が狭いことと、同時にアクティブに接続可能なスレーブ（端末）の台数が７台に制限されているため、ゲートウェイの数が膨大な数になり、内線利用者の数が増えると、ブロードキャストを行っていたのでは、通信路が確立するのに時間がかかり、利用性が悪いという問題があった。また、特許文献２の従来技術にあっても、同様の問題があった。
【００１７】
一方、Ｂｌｕｅｔｏｏｔｈは、通話機能だけでなく、パソコン等の情報機器とのデータ通信性にも優れており、ＬＡＮに接続して、様々な情報交換を行うことができる。このＢｌｕｅｔｏｏｔｈの機能を用いることにより、従来の単機能な構内ＰＨＳでは不可能であった利便性の高い使用法が可能になるが、上記特許文献記載の従来技術にあっては、このような利用法に関して、なんら考慮されていないだけでなく、Ｂｌｕｅｔｏｏｔｈ端末からの通話音声をゲートウェイを介してＬＡＮ上で通信可能なパケットに変換することに関しても、何ら考慮されていなかった。
【００１８】
そこで、本発明は、Ｂｌｕｅｔｏｏｔｈを搭載した端末を内線電話子機として使用し、ＩＰパケットを利用して音声データを送受信して、専用の電話回線を引くことなく、イーサネットＬＡＮを利用して、安価で利用性の良好な内線電話システムを提供することを目的としている。
【００１９】
そこで、請求項１記載の発明は、イーサネットＬＡＮに接続され当該イーサネットＬＡＮを介して相互に通信を行う複数のゲートウェイと、複数の端末とがＢｌｕｅｔｏｏｔｈ規格による音声通信を行うに際して、ゲートウェイが、Ｂｌｕｅｔｏｏｔｈ規格で音声通信可能な音声データとイーサネットＬＡＮ上で通信可能なＩＰパケットとを相互に変換して、当該イーサネットＬＡＮ上で音声データ通信を行い、端末が、複数のゲートウェイのうち最寄りのゲートウェイ及び当該イーサネットＬＡＮを介して他の端末に対して通話要求を発信し、当該他の端末が、当該他の端末の最寄りのゲートウェイを介して当該通話要求を着信して、当該端末同士が、当該ゲートウェイ及び当該イーサネットＬＡＮを介して音声通話を行うことにより、専用の電話回線を引くことなく、また、従来のように２つの携帯電話端末を持ち歩くことなく、音声とＩＰパケットとを変換する機能を有するイーサネットＬＡＮに接続されたゲートウェイとＢｌｕｅｔｏｏｔｈによる音声データの通信を行う２つの端末間でイーサネットＬＡＮ回線を利用して通話し、専用の電話回線を引くコストを削減するとともに、利用性の良好な内線電話システムを提供することを目的としている。
【００２０】
請求項２記載の発明は、イーサネットＬＡＮに接続され当該イーサネットＬＡＮを介して相互に通信を行う複数のゲートウェイと、複数の端末とがＢｌｕｅｔｏｏｔｈ規格による音声通信を行うに際して、端末が、音声とイーサネットＬＡＮ上で通信可能なＩＰパケットとを相互に変換し、ゲートウェイが、ＢｌｕｅｔｏｏｔｈのＬＡＮ・アクセス・プロファイルのサーバまたはイーサネットＬＡＮに接続されているＰＡＮのゲートウェイとして機能し、端末が、ＢｌｕｅｔｏｏｔｈのＬＡＮ・アクセス・プロファイルのクライアントとしてサーバに接続する機能を有して、当該機能により当該ゲートウェイを介してイーサネットＬＡＮにアクセスするとともに、ゲートウェイ及びイーサネットＬＡＮを介して、ＩＰパケットによる音声データ通信を行なう機能を有し、当該端末が、複数のゲートウェイのうち最寄りのゲートウェイ及び当該イーサネットＬＡＮを介して他の端末に対して通話要求を発信し、当該他の端末が、当該他の端末の最寄りのゲートウェイを介して当該通話要求を着信して、当該端末同士が、当該ゲートウェイ及び当該イーサネットＬＡＮを介しての音声通話を行うことにより、専用の電話回線を引くことなく、また、従来のように２つの携帯電話端末を持ち歩くことなく、音声とＩＰパケットとを変換する端末で、イーサネットＬＡＮに接続されたゲートウェイとＰＰＰを用いたＬＡＮアクセスプロファイル、または、ＰＡＮプロファイルにより接続して、イーサネットＬＡＮ上で音声データの通信を行い、専用の電話回線を引くコストを削減するとともに、利用性の良好な内線電話システムを提供することを目的としている。
【００２１】
請求項３記載の発明は、イーサネットＬＡＮに、一般加入電話回線の接続された外線用ゲートウェイが接続されていて、当該外線用ゲートウェイが、当該イーサネットＬＡＮ上のＩＰパケットによる音声データと一般加入電話回線の音声通信とを変換する機能及び着信信号と発信信号の変換を行なう機能を有し、一般加入電話回線からの外線番号による端末の呼び出しと、端末からの一般加入電話回線への外線発信とを行い、一般加入電話回線で通信可能な電話端末と端末との音声通話を可能とすることにより、イーサネットＬＡＮ回線を利用した端末間の通話と一般加入電話回線の電話と端末との接続を可能にし、外線発信や外線からの着信及び通話を可能にし、安価で、より一層利用性の良好な内線電話システムを提供することを目的としている。
【００２２】
請求項４記載の発明は、イーサネットＬＡＮに、端末の位置情報及び識別情報を管理するデータベースが接続されていて、ゲートウェイが、自身に接続していて着信を受けることのできる端末の識別情報を取得し、データベースが、少なくともゲートウェイのイーサネットＬＡＮ上の識別情報と当該ゲートウェイに接続している端末の識別情報及び当該端末の所有者を識別する情報を組にして管理するとともに、イーサネットＬＡＮに外線用ゲートウェイが接続されている場合には、当該外線用ゲートウェイに接続されている一般加入電話回線の外線電話の電話番号と当該電話番号の所有者の識別情報を登録して管理し、ゲートウェイが、自身に接続している端末に関する情報に変更があると、データベースに変更内容を通知し、データベースが、当該通知に基づいて当該通知のあった端末に関する登録情報を変更し、ゲートウェイが、当該データベースを参照して、接続先のゲートウェイを検索して通信の制御を行なうことにより、端末が通話を行なう際に、どのゲートウェイに接続されているかを正確に知ることができるようにして、ゲートウェイ同士のイーサネットＬＡＮ上の通信路の確立を容易にし、端末同士の通話を速やかに行って、安価で、より一層利用性の良好な内線電話システムを提供することを目的としている。
【００２３】
請求項５記載の発明は、端末が、ゲートウェイの有している端末とデータベースとのデータ通信の仲介機能を利用して、または、当該端末の有しているＬＡＮ・アクセス機能を用いて、ゲートウェイを介してデータベースにアクセスし、通話相手を当該データベースから検索して、当該検索結果で特定した相手先に対して発信することにより、通話したい相手の電話番号等の情報が分からない場合にも、氏名や部署名等の断片的な手掛かりを元に、相手を特定して、当該相手に発信を行なえるようにし、安価で、より一層利用性の良好な内線電話システムを提供することを目的としている。
【００２４】
請求項６記載の発明は、データベースに、ゲートウェイの物理的な位置情報をも記録し、端末が、ゲートウェイの有している端末とデータベースとのデータ通信の仲介機能を利用して、または、当該端末の有しているＬＡＮ・アクセス機能を用いて、ゲートウェイを介してデータベースにアクセスし、当該端末の所有者の現在位置を取得することにより、相手の接続しているゲートウェイの位置情報から接続している相手の現在位置が分かるようにし、安価で、より一層利用性の良好な内線電話システムを提供することを目的としている。
【００２５】
請求項７記載の発明は、端末が、他の端末から着信を受けると、データベースから当該発信側の端末の所有者の識別情報を取得することにより、端末のメモリに記録されていない発信者からの着信であっても、データベースから情報を入手して、着信の相手先が誰であるかが分かるようにして、円滑な応対や不用な電話への応対を拒否できるようにし、安価で、より一層利用性の良好な内線電話システムを提供することを目的としている。
【００２６】
請求項８記載の発明は、イーサネットＬＡＮが、一般加入電話回線に接続された外線用ゲートウェイに接続されていて、端末の少なくとも１つが、当該一般加入電話回線を介して通話可能な携帯電話端末、ＰＨＳ端末等の外線無線携帯端末として機能し、当該外線無線携帯端末としての機能を有する端末の外線電話番号をデータベースに登録して、当該端末への発信に際して、当該端末が一般加入電話回線に接続されていると、当該データベースに登録されている外線電話番号に転送することにより、外線電話番号先にも転送可能とし、安価で、より一層利用性の良好な内線電話システムを提供することを目的としている。
【００２７】
請求項９記載の発明は、イーサネットＬＡＮに、留守番電話サービスを行う留守番電話サービスサーバが接続されていて、端末毎に、データベースに当該留守番電話サービスを利用する旨が登録可能であり、当該留守番電話サービスを利用する旨の登録されている端末に通話要求があると、ゲートウェイに当該通話要求を留守番電話サービスサーバに接続させ、当該留守番電話サービスサーバが、当該通話要求元の相手の端末宛の留守番電話メッセージを録音し、当該端末が、留守番電話サービスサーバから自己宛の留守番電話メッセージを取得可能とすることにより、不在時等の端末への着信に出ることのできない場合に留守番電話メッセージを録音できるようにし、安価で、より一層利用性の良好な内線電話システムを提供することを目的としている。
【００２８】
請求項１０記載の発明は、データベースに、端末の所有者の指定する電子メールアドレスを当該所有者を特定して登録し、留守番電話サービスサーバが、留守番電話メッセージを録音すると、当該留守番電話メッセージの宛先の端末の所有者の電子メールアドレスをデータベースから取得して、当該電子メールアドレス宛に少なくとも留守番電話メッセージが録音されている旨を電子メールで通知し、当該所有者の指定に応じて、録音している留守番電話メッセージを電子メールに添付して送信することにより、留守番電話メッセージがあることが端末の所有者に分かるようにし、また、留守番電話メッセージを電子メールで直接受け取れるようにし、安価で、より一層利用性の良好な内線電話システムを提供することを目的としている。
【００２９】
請求項１１記載の発明は、端末が、特定のゲートウェイからの自己宛以外の着信を代わりに受ける代理応答可能状態に設定可能であり、ゲートウェイが、着信のあった端末が代理応答依頼状態に設定されていると、着信を受けることのできない状態であるか、着信を拒否する場合に、着信先を特定のゲートウェイに切り換えて着信させ、当該着信を受けた特定のゲートウェイが、当該着信を代理応答可能状態に設定されている端末に接続し、当該代理応答可能状態の端末が、当該着信を代理で受けて通話することにより、着信を受けることのできない端末に変わって他の端末で代理応答できるようにし、安価で、より一層利用性の良好な内線電話システムを提供することを目的としている。
【００３０】
請求項１２記載の発明は、端末を、着信音を消して、機械振動等で着信を通知するマナーモードを有し、当該マナーモードに設定されている状態で、特定のゲートウェイに接続すると、少なくとも当該ゲートウェイに接続している間は、当該マナーモードを自動解除するマナーモード自動解除機能を備えたものとすることにより、着信音を発声させることのできない場所でマナーモードに設定しても、例えば、オフィスの自分の席のように、マナーモードを使用する必要のない場所では、マナーモードを解除するのを忘れていても自動的に解除し、着信に対して適切に対応できるようにして、安価で、より一層利用性の良好な内線電話システムを提供することを目的としている。
【００３１】
請求項１３記載の発明は、端末が、いずれのゲートウェイにも接続していない状態のときに、Ｂｌｕｅｔｏｏｔｈのインクワイアリー機能及びサービスディスカバリー機能を利用して、周期的にゲートウェイを検索して、ゲートウェイを発見すると、音、機械振動、光または表示等の通知方法でゲートウェイを発見した旨を通知するとともに、当該ゲートウェイと接続を行うか否かの問い合わせの表示を行うことにより、自動的に最寄りのゲートウェイを検索し、また、必要に応じて接続できるようにし、安価で、より一層利用性の良好な内線電話システムを提供することを目的としている。
【００３２】
請求項１４記載の発明は、端末が、いずれのゲートウェイにも接続していない状態のときに、Ｂｌｕｅｔｏｏｔｈのインクワイアリー機能及びサービスディスカバリー機能を利用して、周期的にゲートウェイを検索し、当該周期的なゲートウェイの検索で一定時間以上同じゲートウェイを発見し続けると、当該ゲートウェイに自動的に接続することにより、自動的にゲートウェイに接続して、着信を受けることができるようにし、安価で、より一層利用性の良好な内線電話システムを提供することを目的としている。
【００３３】
請求項１５記載の発明は、端末が、いずれのゲートウェイにも接続していない状態のときに、Ｂｌｕｅｔｏｏｔｈのインクワイアリー機能及びサービスディスカバリー機能を利用して、周期的にゲートウェイを検索して、当該周期的なゲートウェイの検索で一定時間以上複数のゲートウェイを発見し続けると、ゲートウェイとの接続時に、当該複数のゲートウェイのうち、受信電波強度の強い方のゲートウェイを接続先として選択して接続することにより、複数のゲートウェイが通信可能圏内にある場合に、電波受信強度が強い方が近くにあると判断して接続先として選択し、安価で、より一層利用性の良好な内線電話システムを提供することを目的としている。
【００３４】
請求項１６記載の発明は、ゲートウェイが、Ｂｌｕｅｔｏｏｔｈのインクワイアリー機能及びサービスディスカバリー機能を利用して、周期的に端末を検索して、端末を発見すると、当該発見した端末に音、機械振動、光または表示等を行わせる通知方法でゲートウェイを発見した旨を当該端末に通知するとともに、当該ゲートウェイと接続を行うか否かの問い合わせの表示を当該端末に行わせることにより、自動的に近くにある端末を検索し、また、必要に応じて接続できるようにし、安価で、より一層利用性の良好な内線電話システムを提供することを目的としている。
【００３５】
請求項１７記載の発明は、ゲートウェイが、Ｂｌｕｅｔｏｏｔｈのインクワイアリー機能及びサービスディスカバリー機能を利用して、周期的に端末を検索し、当該周期的な端末の検索で一定時間以上同じ端末を発見し続けると、当該端末に自動的に接続することにより、ゲートウェイが、一定時間以上の通信可能圏内にある端末に対して、自動的に接続し、安価で、より一層利用性の良好な内線電話システムを提供することを目的としている。
【００３６】
請求項１８記載の発明は、ゲートウェイとして、データベースにアクセスして当該データベースを検索する情報処理機能を備えたゲートウェイが、発信時、当該データベースを検索し、当該検索結果から当該情報処理機能を備えるゲートウェイの操作者が所望の通信相手を選択すると、当該選択された通信相手先に発信を行うとともに、当該ゲートウェイに接続している端末を、当該発信に対する応答待ち受け状態に制御し、発信相手の端末が応答すると、当該待ち受け状態の端末との通信を可能とすることにより、ゲートウェイの機能を有したパーソナルコンピュータ等を操作して、当該パーソナルコンピュータ等のゲートウェイを親機とし、当該パーソナルコンピュータを操作する人の所有する端末を子機として、他の端末と通話を行えるようにして、端末を操作するよりも操作の行いやすいパーソナルコンピュータ等で操作して、端末を使用した通話を行えるようにし、安価で、より一層利用性の良好な内線電話システムを提供することを目的としている。
【００３７】
請求項１９記載の発明は、情報処理機能を備えたゲートウェイが、所定の表示装置を備え、接続している端末に対して着信があると、当該着信の発信者の識別情報を表示装置に表示することにより、発信者の識別情報を端末よりも大きな表示画面のパーソナルコンピュータ等の表示画面に表示し、安価で、より一層利用性の良好な内線電話システムを提供することを目的としている。
【００３８】
【課題を解決するための手段】
請求項１記載の発明の内線電話システムは、イーサネットＬＡＮに接続され当該イーサネットＬＡＮを介して相互に通信を行う複数のゲートウェイと、複数の端末とがＢｌｕｅｔｏｏｔｈ規格による音声通信を行う内線電話システムであって、前記ゲートウェイが、Ｂｌｕｅｔｏｏｔｈ規格で音声通信可能な音声データと前記イーサネットＬＡＮ上で通信可能なＩＰパケットとを相互に変換して、当該イーサネットＬＡＮ上で音声データ通信を行い、前記端末が、前記複数のゲートウェイのうち最寄りのゲートウェイ及び当該イーサネットＬＡＮを介して他の端末に対して通話要求を発信し、当該他の端末が、当該他の端末の最寄りのゲートウェイを介して当該通話要求を着信して、当該端末同士が、当該ゲートウェイ及び当該イーサネットＬＡＮを介して音声通話を行うことにより、上記目的を達成している。
【００３９】
上記構成によれば、イーサネットＬＡＮに接続され当該イーサネットＬＡＮを介して相互に通信を行う複数のゲートウェイと、複数の端末とがＢｌｕｅｔｏｏｔｈ規格による音声通信を行うに際して、ゲートウェイが、Ｂｌｕｅｔｏｏｔｈ規格で音声通信可能な音声データとイーサネットＬＡＮ上で通信可能なＩＰパケットとを相互に変換して、当該イーサネットＬＡＮ上で音声データ通信を行い、端末が、複数のゲートウェイのうち最寄りのゲートウェイ及び当該イーサネットＬＡＮを介して他の端末に対して通話要求を発信し、当該他の端末が、当該他の端末の最寄りのゲートウェイを介して当該通話要求を着信して、当該端末同士が、当該ゲートウェイ及び当該イーサネットＬＡＮを介して音声通話を行うので、専用の電話回線を引くことなく、また、従来のように２つの携帯電話端末を持ち歩くことなく、音声とＩＰパケットとを変換する機能を有するイーサネットＬＡＮに接続されたゲートウェイとＢｌｕｅｔｏｏｔｈによる音声データの通信を行う２つの端末間でイーサネットＬＡＮ回線を利用して通話することができ、専用の電話回線を引くコストを削減することができるとともに、利用性を向上させることができる。
【００４０】
請求項２記載の発明の内線電話システムは、イーサネットＬＡＮに接続され当該イーサネットＬＡＮを介して相互に通信を行う複数のゲートウェイと、複数の端末とがＢｌｕｅｔｏｏｔｈ規格による音声通信を行う内線電話システムであって、前記端末が、音声と前記イーサネットＬＡＮ上で通信可能なＩＰパケットとを相互に変換し、前記ゲートウェイが、ＢｌｕｅｔｏｏｔｈのＬＡＮ・アクセス・プロファイルのサーバまたはイーサネットＬＡＮに接続されているＰＡＮのゲートウェイとして機能し、前記端末が、ＢｌｕｅｔｏｏｔｈのＬＡＮ・アクセス・プロファイルのクライアントとして前記サーバに接続する機能を有して、当該機能により当該ゲートウェイを介して前記イーサネットＬＡＮにアクセスするとともに、前記ゲートウェイ及び前記イーサネットＬＡＮを介して、ＩＰパケットによる音声データ通信を行なう機能を有し、当該端末が、前記複数のゲートウェイのうち最寄りのゲートウェイ及び当該イーサネットＬＡＮを介して他の端末に対して通話要求を発信し、当該他の端末が、当該他の端末の最寄りのゲートウェイを介して当該通話要求を着信して、当該端末同士が、当該ゲートウェイ及び当該イーサネットＬＡＮを介しての音声通話を行うことにより、上記目的を達成している。
【００４１】
上記構成によれば、イーサネットＬＡＮに接続され当該イーサネットＬＡＮを介して相互に通信を行う複数のゲートウェイと、複数の端末とがＢｌｕｅｔｏｏｔｈ規格による音声通信を行うに際して、端末が、音声とイーサネットＬＡＮ上で通信可能なＩＰパケットとを相互に変換し、ゲートウェイが、ＢｌｕｅｔｏｏｔｈのＬＡＮ・アクセス・プロファイルのサーバまたはイーサネットＬＡＮに接続されているＰＡＮのゲートウェイとして機能し、端末が、ＢｌｕｅｔｏｏｔｈのＬＡＮ・アクセス・プロファイルのクライアントとしてサーバに接続する機能を有して、当該機能により当該ゲートウェイを介してイーサネットＬＡＮにアクセスするとともに、ゲートウェイ及びイーサネットＬＡＮを介して、ＩＰパケットによる音声データ通信を行なう機能を有し、当該端末が、複数のゲートウェイのうち最寄りのゲートウェイ及び当該イーサネットＬＡＮを介して他の端末に対して通話要求を発信し、当該他の端末が、当該他の端末の最寄りのゲートウェイを介して当該通話要求を着信して、当該端末同士が、当該ゲートウェイ及び当該イーサネットＬＡＮを介しての音声通話を行うので、専用の電話回線を引くことなく、また、従来のように２つの携帯電話端末を持ち歩くことなく、音声とＩＰパケットとを変換する端末で、イーサネットＬＡＮに接続されたゲートウェイとＰＰＰを用いたＬＡＮアクセスプロファイル、または、ＰＡＮプロファイルにより接続して、イーサネットＬＡＮ上で音声データの通信を行うことができ、専用の電話回線を引くコストを削減することができるとともに、利用性を向上させることができる。
【００４２】
上記各場合において、例えば、請求項３に記載するように、前記内線電話システムは、前記イーサネットＬＡＮに、一般加入電話回線の接続された外線用ゲートウェイが接続されており、当該外線用ゲートウェイが、当該イーサネットＬＡＮ上のＩＰパケットによる音声データと前記一般加入電話回線の音声通信とを変換する機能及び着信信号と発信信号の変換を行なう機能を有し、前記一般加入電話回線からの外線番号による前記端末の呼び出しと、前記端末からの前記一般加入電話回線への外線発信とを行い、前記一般加入電話回線で通信可能な電話端末と前記端末との音声通話を可能とするものであってもよい。
【００４３】
上記構成によれば、イーサネットＬＡＮに、一般加入電話回線の接続された外線用ゲートウェイが接続されていて、当該外線用ゲートウェイが、当該イーサネットＬＡＮ上のＩＰパケットによる音声データと一般加入電話回線の音声通信とを変換する機能及び着信信号と発信信号の変換を行なう機能を有し、一般加入電話回線からの外線番号による端末の呼び出しと、端末からの一般加入電話回線への外線発信とを行い、一般加入電話回線で通信可能な電話端末と端末との音声通話を可能としているので、イーサネットＬＡＮ回線を利用した端末間の通話と一般加入電話回線の電話と端末との接続を可能にして、外線発信や外線からの着信及び通話を可能にすることができ、内線電話システムを安価で、より一層利用性の良好なものとすることができる。
【００４４】
また、例えば、請求項４に記載するように、前記内線電話システムは、前記イーサネットＬＡＮに、前記端末の位置情報及び識別情報を管理するデータベースが接続されており、前記ゲートウェイが、自身に接続していて着信を受けることのできる前記端末の識別情報を取得し、前記データベースが、少なくとも前記ゲートウェイの前記イーサネットＬＡＮ上の識別情報と当該ゲートウェイに接続している前記端末の識別情報及び当該端末の所有者を識別する情報を組にして管理するとともに、前記イーサネットＬＡＮに前記外線用ゲートウェイが接続されている場合には、当該外線用ゲートウェイに接続されている一般加入電話回線の外線電話の電話番号と当該電話番号の所有者の識別情報を登録して管理し、前記ゲートウェイが、自身に接続している前記端末に関する情報に変更があると、前記データベースに変更内容を通知し、前記データベースが、当該通知に基づいて当該通知のあった端末に関する登録情報を変更し、前記ゲートウェイが、当該データベースを参照して、接続先の前記ゲートウェイを検索して通信の制御を行なうものであってもよい。
【００４５】
上記構成によれば、イーサネットＬＡＮに、端末の位置情報及び識別情報を管理するデータベースが接続されていて、ゲートウェイが、自身に接続していて着信を受けることのできる端末の識別情報を取得し、データベースが、少なくともゲートウェイのイーサネットＬＡＮ上の識別情報と当該ゲートウェイに接続している端末の識別情報及び当該端末の所有者を識別する情報を組にして管理するとともに、イーサネットＬＡＮに外線用ゲートウェイが接続されている場合には、当該外線用ゲートウェイに接続されている一般加入電話回線の外線電話の電話番号と当該電話番号の所有者の識別情報を登録して管理し、ゲートウェイが、自身に接続している端末に関する情報に変更があると、データベースに変更内容を通知し、データベースが、当該通知に基づいて当該通知のあった端末に関する登録情報を変更し、ゲートウェイが、当該データベースを参照して、接続先のゲートウェイを検索して通信の制御を行なうので、端末が通話を行なう際に、どのゲートウェイに接続されているかを正確に知ることができるようにして、ゲートウェイ同士のイーサネットＬＡＮ上の通信路を容易に確立することができ、端末同士の通話を速やかに行って、内線電話システムを安価で、より一層利用性の良好なものとすることができる。
【００４６】
さらに、例えば、請求項５に記載するように、前記端末は、前記ゲートウェイの有している前記端末と前記データベースとのデータ通信の仲介機能を利用して、または、当該端末の有しているＬＡＮ・アクセス機能を用いて、前記ゲートウェイを介して前記データベースにアクセスし、通話相手を当該データベースから検索して、当該検索結果で特定した相手先に対して発信するものであってもよい。
【００４７】
上記構成によれば、端末が、ゲートウェイの有している端末とデータベースとのデータ通信の仲介機能を利用して、または、当該端末の有しているＬＡＮ・アクセス機能を用いて、ゲートウェイを介してデータベースにアクセスし、通話相手を当該データベースから検索して、当該検索結果で特定した相手先に対して発信するので、通話したい相手の電話番号等の情報が分からない場合にも、氏名や部署名等の断片的な手掛かりを元に、相手を特定して、当該相手に発信を行なうことができ、内線電話システムを安価で、より一層利用性の良好なものとすることができる。
【００４８】
また、例えば、請求項６に記載するように、前記データベースは、前記ゲートウェイの物理的な位置情報をも記録し、前記端末は、前記ゲートウェイの有している前記端末と前記データベースとのデータ通信の仲介機能を利用して、または、当該端末の有しているＬＡＮ・アクセス機能を用いて、前記ゲートウェイを介して前記データベースにアクセスし、当該端末の所有者の現在位置を取得するものであってもよい。
【００４９】
上記構成によれば、データベースに、ゲートウェイの物理的な位置情報をも記録し、端末が、ゲートウェイの有している端末とデータベースとのデータ通信の仲介機能を利用して、または、当該端末の有しているＬＡＮ・アクセス機能を用いて、ゲートウェイを介してデータベースにアクセスし、当該端末の所有者の現在位置を取得するので、相手の接続しているゲートウェイの位置情報から接続している相手の現在位置が分かるようにすることができ、内線電話システムを安価で、より一層利用性の良好なものとすることができる。
【００５０】
さらに、例えば、請求項７に記載するように、前記端末は、他の端末から着信を受けると、前記データベースから当該発信側の端末の所有者の識別情報を取得するものであってもよい。
【００５１】
上記構成によれば、端末が、他の端末から着信を受けると、データベースから当該発信側の端末の所有者の識別情報を取得するので、端末のメモリに記録されていない発信者からの着信であっても、データベースから情報を入手して、着信の相手先が誰であるかが分かるようにして、円滑な応対や不用な電話への応対を拒否できるようにすることができ、内線電話システムを安価で、より一層利用性の良好なものとすることができる。
【００５２】
また、例えば、請求項８に記載するように、前記内線電話システムは、前記イーサネットＬＡＮが、一般加入電話回線に接続された外線用ゲートウェイに接続されており、前記端末の少なくとも１つが、当該一般加入電話回線を介して通話可能な携帯電話端末、ＰＨＳ端末等の外線無線携帯端末として機能し、当該外線無線携帯端末としての機能を有する端末の外線電話番号を前記データベースに登録して、当該端末への発信に際して、当該端末が前記一般加入電話回線に接続されていると、当該データベースに登録されている外線電話番号に転送するものであってもよい。
【００５３】
上記構成によれば、イーサネットＬＡＮが、一般加入電話回線に接続された外線用ゲートウェイに接続されていて、端末の少なくとも１つが、当該一般加入電話回線を介して通話可能な携帯電話端末、ＰＨＳ端末等の外線無線携帯端末として機能し、当該外線無線携帯端末としての機能を有する端末の外線電話番号をデータベースに登録して、当該端末への発信に際して、当該端末が一般加入電話回線に接続されていると、当該データベースに登録されている外線電話番号に転送するので、外線電話番号先にも転送することができ、内線電話システムを安価で、より一層利用性の良好なものとすることができる。
【００５４】
さらに、例えば、請求項９に記載するように、前記内線電話システムは、前記イーサネットＬＡＮに、留守番電話サービスを行う留守番電話サービスサーバが接続されており、前記端末毎に、前記データベースに当該留守番電話サービスを利用する旨が登録可能であり、当該留守番電話サービスを利用する旨の登録されている前記端末に通話要求があると、前記ゲートウェイに当該通話要求を前記留守番電話サービスサーバに接続させ、当該留守番電話サービスサーバが、当該通話要求元の相手の当該端末宛の留守番電話メッセージを録音し、当該端末が、当該留守番電話サービスサーバから自己宛の留守番電話メッセージを取得可能とするものであってもよい。
【００５５】
上記構成によれば、イーサネットＬＡＮに、留守番電話サービスを行う留守番電話サービスサーバが接続されていて、端末毎に、データベースに当該留守番電話サービスを利用する旨が登録可能であり、当該留守番電話サービスを利用する旨の登録されている端末に通話要求があると、ゲートウェイに当該通話要求を留守番電話サービスサーバに接続させ、当該留守番電話サービスサーバが、当該通話要求元の相手の端末宛の留守番電話メッセージを録音し、当該端末が、留守番電話サービスサーバから自己宛の留守番電話メッセージを取得可能とするので、不在時等の端末への着信に出ることのできない場合に留守番電話メッセージを録音することができ、内線電話システムを安価で、より一層利用性の良好なものとすることができる。
【００５６】
また、例えば、請求項１０に記載するように、前記内線電話システムは、前記データベースに、前記端末の所有者の指定する電子メールアドレスを当該所有者を特定して登録可能であり、前記留守番電話サービスサーバは、前記留守番電話メッセージを録音すると、当該留守番電話メッセージの宛先の端末の所有者の電子メールアドレスを前記データベースから取得して、当該電子メールアドレス宛に少なくとも留守番電話メッセージが録音されている旨を電子メールで通知し、当該所有者の指定に応じて、前記録音している留守番電話メッセージを電子メールに添付して送信するものであってもよい。
【００５７】
上記構成によれば、データベースに、端末の所有者の指定する電子メールアドレスを当該所有者を特定して登録し、留守番電話サービスサーバが、留守番電話メッセージを録音すると、当該留守番電話メッセージの宛先の端末の所有者の電子メールアドレスをデータベースから取得して、当該電子メールアドレス宛に少なくとも留守番電話メッセージが録音されている旨を電子メールで通知し、当該所有者の指定に応じて、録音している留守番電話メッセージを電子メールに添付して送信するので、留守番電話メッセージがあることが端末の所有者に分かるようにすることができ、また、留守番電話メッセージを電子メールで直接受け取れるようにすることができ、内線電話システムを安価で、より一層利用性の良好なものとすることができる。
【００５８】
さらに、例えば、請求項１１に記載するように、前記端末は、特定のゲートウェイからの自己宛以外の着信を代わりに受ける代理応答可能状態に設定可能であり、前記ゲートウェイは、着信のあった端末が代理応答依頼状態に設定されていると、着信を受けることのできない状態であるか、着信を拒否する場合に、着信先を前記特定のゲートウェイに切り換えて着信させ、当該着信を受けた特定のゲートウェイが、当該着信を前記代理応答可能状態に設定されている端末に接続し、当該代理応答可能状態の端末が、当該着信を代理で受けて通話するものであってもよい。
【００５９】
上記構成によれば、端末が、特定のゲートウェイからの自己宛以外の着信を代わりに受ける代理応答可能状態に設定可能であり、ゲートウェイが、着信のあった端末が代理応答依頼状態に設定されていると、着信を受けることのできない状態であるか、着信を拒否する場合に、着信先を特定のゲートウェイに切り換えて着信させ、当該着信を受けた特定のゲートウェイが、当該着信を代理応答可能状態に設定されている端末に接続し、当該代理応答可能状態の端末が、当該着信を代理で受けて通話するので、着信を受けることのできない端末に変わって他の端末で代理応答することができ、内線電話システムを安価で、より一層利用性の良好なものとすることができる。
【００６０】
また、例えば、請求項１２に記載するように、前記端末は、着信音を消して、機械振動等で着信を通知するマナーモードを有し、当該マナーモードに設定されている状態で、特定のゲートウェイに接続すると、少なくとも当該ゲートウェイに接続している間は、当該マナーモードを自動解除するマナーモード自動解除機能を備えているものであってもよい。
【００６１】
上記構成によれば、端末を、着信音を消して、機械振動等で着信を通知するマナーモードを有し、当該マナーモードに設定されている状態で、特定のゲートウェイに接続すると、少なくとも当該ゲートウェイに接続している間は、当該マナーモードを自動解除するマナーモード自動解除機能を備えたものとしているので、着信音を発声させることのできない場所でマナーモードに設定しても、例えば、オフィスの自分の席のように、マナーモードを使用する必要のない場所では、マナーモードを解除するのを忘れていても自動的に解除することができ、着信に対して適切に対応できるようにして、内線電話システムを安価で、より一層利用性の良好なものとすることができる。
【００６２】
さらに、例えば、請求項１３に記載するように、前記端末は、いずれの前記ゲートウェイにも接続していない状態のときに、Ｂｌｕｅｔｏｏｔｈのインクワイアリー機能及びサービスディスカバリー機能を利用して、周期的に前記ゲートウェイを検索して、ゲートウェイを発見すると、音、機械振動、光または表示等の通知方法でゲートウェイを発見した旨を通知するとともに、当該ゲートウェイと接続を行うか否かの問い合わせの表示を行うものであってもよい。
【００６３】
上記構成によれば、端末が、いずれのゲートウェイにも接続していない状態のときに、Ｂｌｕｅｔｏｏｔｈのインクワイアリー機能及びサービスディスカバリー機能を利用して、周期的にゲートウェイを検索して、ゲートウェイを発見すると、音、機械振動、光または表示等の通知方法でゲートウェイを発見した旨を通知するとともに、当該ゲートウェイと接続を行うか否かの問い合わせの表示を行うので、自動的に最寄りのゲートウェイを検索することができ、また、必要に応じて接続することができ、内線電話システムを安価で、より一層利用性の良好なものとすることができる。
【００６４】
また、例えば、請求項１４に記載するように、前記端末は、いずれの前記ゲートウェイにも接続していない状態のときに、Ｂｌｕｅｔｏｏｔｈのインクワイアリー機能及びサービスディスカバリー機能を利用して、周期的に前記ゲートウェイを検索し、当該周期的なゲートウェイの検索で一定時間以上同じゲートウェイを発見し続けると、当該ゲートウェイに自動的に接続するものであってもよい。
【００６５】
上記構成によれば、端末が、いずれのゲートウェイにも接続していない状態のときに、Ｂｌｕｅｔｏｏｔｈのインクワイアリー機能及びサービスディスカバリー機能を利用して、周期的にゲートウェイを検索し、当該周期的なゲートウェイの検索で一定時間以上同じゲートウェイを発見し続けると、当該ゲートウェイに自動的に接続するので、自動的にゲートウェイに接続して、着信を受けることができ、内線電話システムを安価で、より一層利用性の良好なものとすることができる。
【００６６】
さらに、例えば、請求項１５に記載するように、前記端末は、いずれの前記ゲートウェイにも接続していない状態のときに、Ｂｌｕｅｔｏｏｔｈのインクワイアリー機能及びサービスディスカバリー機能を利用して、周期的に前記ゲートウェイを検索して、当該周期的なゲートウェイの検索で一定時間以上複数のゲートウェイを発見し続けると、ゲートウェイとの接続時に、当該複数のゲートウェイのうち、受信電波強度の強い方のゲートウェイを接続先として選択して接続するものであってもよい。
【００６７】
上記構成によれば、端末が、いずれのゲートウェイにも接続していない状態のときに、Ｂｌｕｅｔｏｏｔｈのインクワイアリー機能及びサービスディスカバリー機能を利用して、周期的にゲートウェイを検索して、当該周期的なゲートウェイの検索で一定時間以上複数のゲートウェイを発見し続けると、ゲートウェイとの接続時に、当該複数のゲートウェイのうち、受信電波強度の強い方のゲートウェイを接続先として選択して接続するので、複数のゲートウェイが通信可能圏内にある場合に、電波受信強度が強い方が近くにあると判断して接続先として選択することができ、内線電話システムを安価で、より一層利用性の良好なものとすることができる。
【００６８】
また、例えば、請求項１６に記載するように、前記ゲートウェイは、Ｂｌｕｅｔｏｏｔｈのインクワイアリー機能及びサービスディスカバリー機能を利用して、周期的に前記端末を検索して、端末を発見すると、当該発見した端末に音、機械振動、光または表示等を行わせる通知方法でゲートウェイを発見した旨を当該端末に通知するとともに、当該ゲートウェイと接続を行うか否かの問い合わせの表示を当該端末に行わせるものであってもよい。
【００６９】
上記構成によれば、ゲートウェイが、Ｂｌｕｅｔｏｏｔｈのインクワイアリー機能及びサービスディスカバリー機能を利用して、周期的に端末を検索して、端末を発見すると、当該発見した端末に音、機械振動、光または表示等を行わせる通知方法でゲートウェイを発見した旨を当該端末に通知するとともに、当該ゲートウェイと接続を行うか否かの問い合わせの表示を当該端末に行わせるので、自動的に近くにある端末を検索することができ、また、必要に応じて接続することができ、内線電話システムを安価で、より一層利用性の良好なものとすることができる。
【００７０】
さらに、例えば、請求項１７に記載するように、前記ゲートウェイは、Ｂｌｕｅｔｏｏｔｈのインクワイアリー機能及びサービスディスカバリー機能を利用して、周期的に前記端末を検索し、当該周期的な端末の検索で一定時間以上同じ端末を発見し続けると、当該端末に自動的に接続するものであってもよい。
【００７１】
上記構成によれば、ゲートウェイが、Ｂｌｕｅｔｏｏｔｈのインクワイアリー機能及びサービスディスカバリー機能を利用して、周期的に端末を検索し、当該周期的な端末の検索で一定時間以上同じ端末を発見し続けると、当該端末に自動的に接続するので、ゲートウェイが、一定時間以上の通信可能圏内にある端末に対して、自動的に接続することができ、内線電話システムを安価で、より一層利用性の良好なものとすることができる。
【００７２】
また、例えば、請求項１８に記載するように、前記内線電話システムは、前記ゲートウェイとして、前記データベースにアクセスして当該データベースを検索する情報処理機能を備えたゲートウェイを少なくとも１つ備え、当該情報処理機能を備えたゲートウェイが、発信時、当該データベースを検索し、当該検索結果から当該情報処理機能を備えるゲートウェイの操作者が所望の通信相手を選択すると、当該選択された通信相手先に発信を行うとともに、当該ゲートウェイに接続している前記端末を、当該発信に対する応答待ち受け状態に制御し、発信相手の端末が応答すると、当該待ち受け状態の端末との通信を可能とするものであってもよい。
【００７３】
上記構成によれば、ゲートウェイとして、データベースにアクセスして当該データベースを検索する情報処理機能を備えたゲートウェイが、発信時、当該データベースを検索し、当該検索結果から当該情報処理機能を備えるゲートウェイの操作者が所望の通信相手を選択すると、当該選択された通信相手先に発信を行うとともに、当該ゲートウェイに接続している端末を、当該発信に対する応答待ち受け状態に制御し、発信相手の端末が応答すると、当該待ち受け状態の端末との通信を可能とするので、ゲートウェイの機能を有したパーソナルコンピュータ等を操作して、当該パーソナルコンピュータ等のゲートウェイを親機とし、当該パーソナルコンピュータを操作する人の所有する端末を子機として、他の端末と通話を行えるようにして、端末を操作するよりも操作の行いやすいパーソナルコンピュータ等で操作して、端末を使用した通話を行うことができ、内線電話システムを安価で、より一層利用性の良好なものとすることができる。
【００７４】
さらに、例えば、請求項１９に記載するように、前記情報処理機能を備えたゲートウェイは、所定の表示装置を備え、接続している前記端末に対して着信があると、当該着信の発信者の識別情報を前記表示装置に表示するものであってもよい。
【００７５】
上記構成によれば、情報処理機能を備えたゲートウェイが、所定の表示装置を備え、接続している端末に対して着信があると、当該着信の発信者の識別情報を表示装置に表示するので、発信者の識別情報を端末よりも大きな表示画面のパーソナルコンピュータ等の表示画面に表示することができ、内線電話システムを安価で、より一層利用性の良好なものとすることができる。
【００７６】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００７７】
図１〜図２９は、本発明の内線電話システムの一実施の形態を示す図であり、図１は、本発明の内線電話システムの一実施の形態を適用した内線電話システム１のシステム構成図である。
【００７８】
図１において、内線電話システム１は、イーサネットＬＡＮ２に複数のゲートウェイ３ａ〜３ｎ、外線ゲートウェイ４、データベース５及び留守電サーバ６等が接続されており、後述するように、複数の端末１０ａ〜１０ｍが無線で接続される。イーサネットＬＡＮ２は、イーサネットＬＡＮによって構築された社内等のネットワークである。
【００７９】
イーサネットＬＡＮ２は、外線ゲートウェイ４を介して、一般加入電話回線２０と接続されており、一般電話回線２０には、一般加入電話端末２１及び一般のＰＨＳや携帯電話等の一般携帯無線端末２２の基地局２３が接続されている。
【００８０】
外線ゲートウェイ４は、後述するように、イーサネットＬＡＮ２に無線接続される端末１０ａ〜１０ｍが一般加入電話端末２１や一般の携帯無線端末２２からの着信を受けて通話を行ったり、端末１０ａ〜１０ｍから外線発信を行ったりすることを可能とする機能している。また、外線ゲートウェイ４は、イーサネットＬＡＮ２によるＩＰ電話と一般加入電話回線との交換機の役割を有しており、一般加入電話端末２１や一般携帯無線端末２２と内線の端末１０ａ〜１０ｍが通話を行えるように、一般加入電話回線２０及びイーサネットＬＡＮ２上の通信路の制御を行う。さらに、外線ゲートウェイ４は、一般加入電話回線２０の通話音声データと、イーサネットＬＡＮ２を流れるＩＰパケットとの変換を行う機能を有している。
【００８１】
ゲートウェイ３ａ〜３ｎは、Ｂｌｕｅｔｏｏｔｈによる通信が可能な通話用の端末１０ａ〜１０ｍとＢｌｕｅｔｏｏｔｈによる通信が可能であり、また、イーサネットＬＡＮ２を介してゲートウェイ３ａ〜３ｎ同士及び外線ゲートウェイ４と通信を行う。
【００８２】
したがって、端末１０ａ〜１０ｍ同士の通話が可能となり、ゲートウェイ３ａ〜３ｎは、端末１０ａ〜１０ｍの発信に対して、相手の端末１０ａ〜１０ｍに着信を伝えて通話が可能になるようにイーサネットＬＡＮ２を制御する機能を有している。また、ゲートウェイ３ａ〜３ｎは、Ｂｌｕｅｔｏｏｔｈによる音声通話データを、例えば、ＶｏＩＰの方式を用いてイーサネットＬＡＮ２上で通信を行うためのパケットに再構築する機能を有している。
【００８３】
ゲートウェイ３ａ〜３ｎとしては、いくつかの種類の機器を用いることができ、例えば、図１のゲートウェイ３ａは、複数の端末１０ａ〜１０ｍを接続可能なアクセスポイントのような機器であって、携帯電話機またはＰＨＳの基地局、あるいは、無線ＬＡＮのアクセスポイントのように、複数の端末１０ａ〜１０ｍがイーサネットＬＡＮ２にアクセスするための中継を行うとともに、音声データの変換を行う。また、ゲートウェイ３ｂは、端末１０ａ〜１０ｍを用いなくても、端末１０ａ〜１０ｍの親電話機として、音声ＩＰパケットを利用したＬＡＮ通信による音声通話が可能であり、また、端末１０ａ〜１０ｍ、例えば、端末１０ｂを子機として用いることも可能となっている。ゲートウェイ３ｎは、パーソナルコンピュータ等の情報機器が、ゲートウェイ機能を有しているものである。ゲートウェイ機能を有する情報機器３ｎと端末１０ａ〜１０ｍを連動させることにより、後述するように、利用性を向上させることができる。
【００８４】
端末１０ａ〜１０ｍは、内線電話システム１においてＢｌｕｅｔｏｏｔｈによる通信のみが可能な通話用端末機能だけを有する機器であってもよいが、図１の端末１０ｍのように、一般のＰＨＳ端末、あるいは、携帯電話端末等の一般携帯無線端末２２に、内線電話システム１で通話を可能とするソフトウェアを搭載するとともに、Ｂｌｕｅｔｏｏｔｈ通信ユニットを端末１０ａ〜１０ｍのインターフェイスに取り外し可能な外付け機器として接続することにより、内線電話システム１による端末１０ａ〜１０ｍとして機能するような機器であってもよい。端末１０ａ〜１０ｍは、社内内線用と私用の２つの端末を持ち歩く必要がなくなることから、好適には、後者の形態の機器であることが望ましい。また、端末１０ａ〜１０ｍが、後者の形態の場合、Ｂｌｕｅｔｏｏｔｈ通信ユニットとしての機能は、内線電話システム１で通話を可能とするソフトウェアが担当するが、内線電話システム１で通話が可能となるために行う必要のある音声あるいはパケットの信号処理機能を、ハードウェア処理によって行うようにして、当該ハードウェアを端末１０ａ〜１０ｍに搭載してもよい。
【００８５】
端末１０ｍは、ＰＨＳまたは携帯電話の基地局２３を通じて、ＰＨＳまたは携帯電話回線に接続し、通話することが可能であり、また、Ｂｌｕｅｔｏｏｔｈユニットを取り付けることで、内線電話システム１の端末として機能する。
【００８６】
データベース５は、端末１０ａ〜１０ｍがどのゲートウェイ３ａ〜３ｎに接続しているか、また、ゲートウェイ３ａ〜３ｎのイーサネットＬＡＮ２上のアドレス等の通信経路の制御に必要な情報や端末１０ａ〜１０ｍの所有者に関する情報及び端末１０ａ〜１０ｍの使用方法に関する設定情報等を格納して、管理する。端末１０ａ〜１０ｍまたはゲートウェイ３ａ〜３ｎは、後述するように、データベース５にアクセスして、データベース５に蓄積されている通信路の制御方法やデータベース５の情報を利用し、利便性を向上させることができる。
【００８７】
留守電サーバ（留守番電話サービスサーバ）６は、端末１０ａ〜１０ｍが応答することができない場合に音声メッセージを録音する機能と、電子メールを送信する機能を有している。
【００８８】
次に、本実施の形態の作用を説明する。まず、本実施の形態の内線電話システム１の動作の仕組みについて説明する。
【００８９】
本実施の形態で利用する基本的な通信技術は、ＶｏＩＰ（Ｖｏｉｃｅ　ｏｖｅｒ　Ｉｎｔｅｒｎｅｔ　Ｐｒｏｔｏｃｏｌ）とＢｌｕｅｔｏｏｔｈの技術である。ＶｏＩＰは、ＶｏＩＰゲートウェイが、回線交換型の音声データをパケット交換型のＩＰパケットに変換することにより、イーサネットＬＡＮ上で音声通話を可能とする技術である。このＶｏＩＰを利用することで、電話通話料を支払うことなく、イーサネットＬＡＮを用いた、安価な音声通話が可能となる。例えば、ＶｏＩＰゲートウェイ機能と端末機能を搭載したパーソナルコンピュータにマイクロフォン等の音声入力装置及びヘッドフォンやスピーカーの音声出力装置を接続することにより、パーソナルコンピュータをＩＰ電話機として使用することができる。また、ＶｏＩＰゲートウェイ同士をＬＡＮで接続し、ＶｏＩＰゲートウェイと各電話端末の間を、内線用の電話回線を用いて接続してもよいが、ＬＡＮと電話回線の両方の回線を引くと、配線工事に手間と費用が掛かる。
【００９０】
そこで、本実施の形態の内線電話システム１は、イーサネットＬＡＮ２として、ＬＡＮ回線のみを引いて、内線電話システム１を構築している。
【００９１】
本実施の形態で利用しているもう１つの根幹技術は、Ｂｌｕｅｔｏｏｔｈであり、Ｂｌｕｅｔｏｏｔｈは、携帯電話とパーソナルコンピュータ及びＦＡＸ等の周辺機器との相互互換性に優れた通信を提供する短距離無線通信技術である。Ｂｌｕｅｔｏｏｔｈは、インクワイアリーと呼ばれる通信可能範囲内に存在するＢｌｕｅｔｏｏｔｈ機器の情報を自動的に収集する機能やサービスディスカバリーと呼ばれる機能により、周囲にあるＢｌｕｅｔｏｏｔｈ機器がどのようなサービス提供能力を有しているかを検索する機能を有している。また、Ｂｌｕｅｔｏｏｔｈは、周波数ホッピングスペクトル拡散方式を利用しており、雑音に強いという能力を有しているとともに、電波状況に応じて、エラー訂正強度と通信速度の調整を行い、通信を最適化する能力を備えている。さらに、Ｂｌｕｅｔｏｏｔｈは、データパケットと音声パケットの両方の機能を有しており、データパケットと音声パケットの双方の通信に対応している。
【００９２】
本実施の形態は、上記ＶｏＩＰとＢｌｕｅｔｏｏｔｈの２つの通信技術を利用して、既存のイーサネットＬＡＮ回線であるイーサネットＬＡＮ２を利用し、安価で利便性に優れた内線電話システム１を提供している。そして、本実施の形態の内線電話システム１は、ＢｌｕｅｔｏｏｔｈとイーサネットＬＡＮ２を介して音声の通信を行うために、各通信方式に合わせて、音声を通信方式に適合した形に変換しており、また、通信路の制御を適切に行っている。
【００９３】
そして、本実施の形態の内線電話システム１は、音声をＩＰパケット化して、イーサネットＬＡＮ２上で送信するが、音声のＩＰパケット化を、ゲートウェイ３ａ〜３ｎで行うか、または、端末１０ａ〜１０ｍで行うかで構成が異なる。なお、端末１０ａ〜１０ｍとゲートウェイ３ａ〜３ｎの組み合わせが同種の方式のものであれば、異なる種類のゲートウェイ３ａ〜３ｎ同士がイーサネットＬＡＮ２上で接続されていても、端末１０ａ〜１０ｍ同士の通話は可能である。
【００９４】
音声のＩＰパケット化をゲートウェイ３ａ〜３ｎで行う方式（以下、ゲートウェイ音声化方式という。）では、Ｂｌｕｅｔｏｏｔｈの通信は、Ｂｌｕｅｔｏｏｔｈ規格で規定された音声通信を行うためのＳＣＯパケットを利用した通信により、ゲートウェイ３ａ〜３ｎとＢｌｕｅｔｏｏｔｈを用いた通信を行う。
【００９５】
一方、音声のＩＰパケット化を端末１０ａ〜１０ｍで行う方式（以下、端末音声化方式という。）では、端末１０ａ〜１０ｍは、ＰＰＰを利用したＢｌｕｅｔｏｏｔｈＬＡＮアクセスプロファイルによってゲートウェイ３ａ〜３ｎにＬＡＮアクセスする。Ｂｌｕｅｔｏｏｔｈの仕様においては、ＰＰＰとともにＢｌｕｅｔｏｏｔｈをＷＡＰ（ワイヤレス・アプリケーション・プロトコル）とＷＡＰアプリケーションの通信ベアラとして使用する場合の相互運用上の用件が、Ｂｌｕｅｔｏｏｔｈコアの仕様書パートＦ：４に定められており、この仕様を満たし、かつ、ＬＡＮアクセスプロファイルに準拠したアプリケーションプログラムによって、端末１０ａ〜１０ｍはゲートウェイ３ａ〜３ｎにアクセスする。このとき、ゲートウェイ３ａ〜３ｎは、音声をＩＰパケットに変更するという作業は必要ない。あるいは、ＰＰＰを利用したＢｌｕｅｔｏｏｔｈＬＡＮアクセスプロファイルの代わりに、ＰＡＮ（Ｐｅｒｓｏｎａｌ　Ａｒｅａ　Ｎｅｔｗｏｒｋ　）プロファイルを利用してもよい。ＰＡＮプロファイルで用いるパケットタイプは、ＢＮＥＰ（Ｂｌｕｅｔｏｏｔｈ　Ｎｅｔｗｏｒｋ　Ｅｎｃａｐｓｕｌａｔｅｄ　Ｐｒｏｔｏｃｏｌ　）によって定められている。
【００９６】
このＢｌｕｅｔｏｏｔｈプロトコルスタックについて、以下説明する。Ｂｌｕｅｔｏｏｔｈのプロトコルスタックは、簡略化すると、図２のように示すことができ、下層から、ＬＭＰ／Ｂａｓｅｂａｎｄ／ＲＦ３１、ＨＣＩ３２、Ｌ２ＣＡＰ３３、ＳＤＰ３４、ＴＣＳ３５、ＲＦＣＯＭＭ３６、ＯＢＥＸ３７、ＷＡＰ３８及びアプリケーション３９で構成されている。そして、Ｌ２ＣＡＰ３３、ＳＤＰ３４、ＴＣＳ３５、ＲＦＣＯＭＭ３６、ＯＢＥＸ３７及びＷＡＰ３８でＢｌｕｅｔｏｏｔｈ上位プロトコル層が形成されている。なお、図２は、必ずしも全てのＢｌｕｅｔｏｏｔｈ機器のプロトコルスタックを示すものではない。
【００９７】
まず、音声のＩＰパケット化をゲートウェイ３ａ〜３ｎで行うゲートウェイ音声化方式の場合、ＴＣＳバイナリープロトコル３５を用いて、端末１０ａ〜１０ｍとゲートウェイ３ａ〜３ｎ間の通信を行う。また、音声のＩＰパケット化を端末１０ａ〜１０ｍで行う端末音声化方式の場合は、ＷＡＰ３８を用いて通信を行う。
【００９８】
音声のＩＰパケット化をゲートウェイ３ａ〜３ｎで行うゲートウェイ音声化方式で使用するＴＣＳ３５は、Ｂｌｕｅｔｏｏｔｈで音声通話を行うためのプロファイルであり、ＳＣＯパケットを利用した通話を行うための呼の制御などを行う。コードレス・テレフォニー・プロファイルには、ＰＳＴＮゲートウェイとの音声通話を行うための仕様が定められている。
【００９９】
音声のＩＰパケット化を端末１０ａ〜１０ｍで行う端末音声化方式で使用するＷＡＰ３８は、詳しくは、図３に示すような構成になっており、シリアル通信をエミュレートするＲＦＣＯＭＭプロトコル３６上に、ＰＰＰ４１、ＩＰ４２、ＴＣＰ／ＩＰ４３を実装することにより、ＴＣＰ／ＩＰやＵＤＰ／ＩＰを利用したＬＡＮ通信をエミュレートすることができる。ＰＡＮプロファイルでは、ＲＦＣＯＭＭ３６とＰＰＰ４１の代わりにＢＮＥＰのみを使用するため、スループットを向上させることができる。
【０１００】
また、ＳＤＰ３４は、サービスを登録・検索するためのプロトコルであり、このＳＤＰ３４により、周囲のＢｌｕｅｔｏｏｔｈ機器がどのようなサービス提供能力を有しているかを簡単に検索することができ、Ｂｌｕｅｔｏｏｔｈの利便性が他の無線通信方式よりも優れている点の一つとしてあげられる。Ｂｌｕｅｔｏｏｔｈのもう一つの重要な機能は、インクワイアリーと呼ばれる、周囲のＢｌｕｅｔｏｏｔｈ搭載機器の情報を容易に検索することができる機能であり、この機能は、ベースバンド以下で行なわれる。この機能は、ホスト・コントローラー・インターフェイス（ＨＣＩ）３２を介して行なわれる。
【０１０１】
次に、本実施の形態の内線電話システム１で用いるパケットタイプについて説明する。図４は、Ｂｌｕｅｔｏｏｔｈで音声通信を行なう際のＳＣＯパケットの構成例を示しており、図５は、ＶｏＩＰを用いて、イーサネットＬＡＮ２上で音声通話を行なう際のパケットの構成例を示している。ゲートウェイ３ａ〜３ｎは、音声データ部分を取り出し、変換先のパケットの形式及び通信速度やＱｏＳに応じた形に音声データ部のパケットを再構成し、変換側のヘッダー部に付加して送信する。ゲートウェイ３ａ〜３ｎは、イーサネットＬＡＮ２とＢｌｕｅｔｏｏｔｈで音声データの符号化方法が異なる場合には、変換先の方式に適合するよう、符号化の方式も変換する。
【０１０２】
図６は、ＢｌｕｅｔｏｏｔｈのＷＡＰのパケットの構成例を示しており、ＬＡＮ通信をエミュレートしたものである。したがって、ゲートウェイ３ａ〜３ｎは、パケットの音声部を取り出し、通信速度やＱｏＳに応じて、イーサネットＬＡＮ２のヘッダー・ペイロード等の固有部に乗せて送信する。また、イーサネットＬＡＮ２からＢｌｕｅｔｏｏｔｈへの変換も同様である。
【０１０３】
次に、データベース５を利用して、通信路を制御する場合について、説明する。
【０１０４】
いま、端末１０ａが端末１０ｂに対して通話を要求するものとして、以下説明する。内線電話システム１においては、各端末１０ａ〜１０ｍは、それぞれゲートウェイ３ａ〜３ｎとＢｌｕｅｔｏｏｔｈで接続しており、ゲートウェイ３ａ〜３ｎは、接続の際、自身に接続している端末１０ａ〜１０ｍのＢｌｕｅｔｏｏｔｈデバイスアドレスと呼ばれるＢｌｕｅｔｏｏｔｈ機器に固有の識別子を取得する。この識別子が、ゲートウェイ３ａ〜３ｎと端末１０ａ〜１０ｍで構成されるピコネットと呼ばれる局所的なネットワーク間でのＢｌｕｅｔｏｏｔｈ機器の識別子となる。したがって、端末１０ａ〜１０ｍの接続しているゲートウェイ３ａ〜３ｎが分かっている場合は、Ｂｌｕｅｔｏｏｔｈデバイスアドレスが分かれば、所望の端末１０ａ〜１０ｍを特定することができる。
【０１０５】
一方、ゲートウェイ３ａ〜３ｎは、イーサネットＬＡＮ２で接続されているため、イーサネットＬＡＮ２上の識別子として、ＩＰアドレスを使用する。ゲートウェイ３ａ〜３ｎ同士の通信路の制御は、従来のＩＰプロトコルで対応することができる。
【０１０６】
そして、詳細には図示していないが、イーサネットＬＡＮ２は、ルータ、ハブ、ＤＮＳサーバ、ＤＣＨＰサーバ、通常のゲートウェイのうちいくつかを用いてネットワークが構成されている。
【０１０７】
したがって、端末１０ａ〜１０ｍのＢｌｕｅｔｏｏｔｈアドレスと、接続先のゲートウェイ３ａ〜３ｎのＩＰアドレスを組み合わせて管理することにより、通信路を決定することができ、内線電話システム１では、この管理をデータベース５が行う。
【０１０８】
例えば、音声のＩＰパケット化を端末１０ａ〜１０ｍで行う端末音声化方式の場合、各端末１０ａ〜１０ｍは、ＬＡＮアクセスポイントとして機能するゲートウェイ３ａ〜３ｎに接続しているが、この場合には、各端末１０ａ〜１０ｍがＩＰアドレスを有する。
【０１０９】
そして、ゲートウェイ３ａ〜３ｎがＤＨＣＰサーバ機能を有する場合には、Ｂｌｕｅｔｏｏｔｈデバイスアドレスの代わりに、ゲートウェイ３ａ〜３ｎをマスターとするピコネット内のローカルなＩＰアドレスを用いることもできる。
【０１１０】
また、端末１０ａ〜１０ｍが固定のＩＰアドレスを持つ場合には、ゲートウェイ３ａ〜３ｎのＩＰアドレスをデータベース５に登録することなく、端末１０ａ〜１０ｍの固定ＩＰアドレスを登録するだけで、ＩＰプロトコルにより、通信路を決定することができる。
【０１１１】
そして、端末１０ａ〜１０ｍとゲートウェイ３ａ〜３ｎがＢｌｕｅｔｏｏｔｈによる接続を行い、通話が可能な状態が確立されると、ゲートウェイ３ａ〜３ｎは、データベース５にアクセスし、端末１０ａ〜１０ｍが接続したことを通知する。このとき、端末１０ａ〜１０ｍのＢｌｕｅｔｏｏｔｈデバイスアドレスが、識別子として用いられ、端末１０ａ〜１０ｍがどのゲートウェイ３ａ〜３ｎに接続しているかが検索できるようになる。
【０１１２】
また、データベース５は、イーサネットＬＡＮ２上のアドレスを管理するだけでなく、その所有者を識別する情報や他の情報を組みにして登録することもできる。例えば、端末１０ａ〜１０ｍそれぞれに対して固有の内線番号を割り当て、内線番号を指定することで、データベース５からイーサネットＬＡＮ２上の識別子を得ることができ、通信路を確保することができる。また、内線電話システム１が、図１に示したように、外線ゲートウェイ４で外線（一般加入電話回線２０）に接続されて、外線を使用することが可能な場合、データベース５に外線電話番号を登録することができ、また、所有者の部署名等の情報も登録することができる。
【０１１３】
上記通信路の決定処理を、図７に基づいて説明する。図７は、端末１０ａ〜１０ｍの１つである端末Ａが、他の端末１０ａ〜１０ｍである端末Ｂに発信を行うときの流れを示している。図７において、まず、端末Ａが端末Ｂの内線番号の発信を行うと、Ｂｌｕｅｔｏｏｔｈ通信により、端末Ａの接続されているゲートウェイ３ａ〜３ｎの１つであるゲートウェイＡに端末Ｂの内線に対する発信要求が送信される。ゲートウェイＡは、データベース５（図７では、ＤＢと記載）にアクセスし、相手先の端末Ｂがどのゲートウェイ３ａ〜３ｎ（図７では、ＧＷと記載）に接続されているのかの検索及びＢｌｕｅｔｏｏｔｈデバイスアドレスの検索を行う。次に、ゲートウェイＡは、データベース５を検索して判明した端末Ｂの接続しているゲートウェイＢに接続し、端末Ｂに対する発信要求を伝える。ゲートウェイＢは、Ｂｌｕｅｔｏｏｔｈデバイスアドレスにより指定された端末Ｂに発信を伝える。端末Ｂは、着信を受け、例えば、発信音が鳴ったり、機械振動により端末Ｂの所有者に着信を伝える。
【０１１４】
なお、端末Ａが端末ＢのＢｌｕｅｔｏｏｔｈデバイスアドレスを直接指定して発信することもできる。
【０１１５】
次に、呼の制御について説明する。通信路が確定されると、次に、呼の制御、すなわちコール・コントロールが必要となる。呼の制御は、基本的には、ＩＴＵ−Ｔ規格であるＨ．３２３勧告、あるいは既存のＰＩＮＸ（Ｐｒｉｖａｔｅ　ＩｎｔｅｇｒａｔｅｄＮｅｔｗｏｒｋ　ｅＸｃｈａｎｇｅｒ）と互換性のあるＱＧＩＳ（Ｓｉｇｎａｌｌｉｎｇ　ｐｒｏｔｏｃｏｌ　ｏｖｅｒ　Ｑ　ｒｅｆｅｒｅｎｃｅ　ｐｏｉｎｔ）を用いることにより実現される。即ち、ＶｏＩＰで採用されている呼制御信号を用いることができる。
【０１１６】
また、音声のパケット化をゲートウェイ３ａ〜３ｎで行う場合、端末１０ａ〜１０ｍは、直接ＩＰプロトコルによる通信を行っていないため、端末１０ａ〜１０ｍとゲートウェイ３ａ〜３ｎの間で、ＶｏＩＰと異なる呼制御を行なう必要がある。この場合、呼の制御は、Ｂｌｕｅｔｏｏｔｈのコードレス・テレフォニー・プロファイル及びＴＣＳバイナリー・プロトコルで定められた方式で行うことができ、ゲートウェイ３ａ〜３ｎは、ＶｏＩＰの呼制御とＢｌｕｅｔｏｏｔｈのＴＣＳの呼制御を中継・変換する機能を有することとなる。
【０１１７】
次に、本実施の形態の内線電話システム１の基本的な通信技術を前提として、音声のパケット化をゲートウェイ３ａ〜３ｎで行うゲートウェイ音声化方式の場合の音声通信について、図８及び図９に基づいて説明する。なお、以下の説明では、端末１０ａ〜１０ｍの１つの端末Ａから他の端末１０ａ〜１０ｍの１つである端末Ｂに発信して通話を行うものとして、説明する。
【０１１８】
音声のパケット化をゲートウェイ３ａ〜３ｎで行う場合、端末１０ａ〜１０ｍとゲートウェイ３ａ〜３ｎの間の通信は、Ｂｌｕｅｔｏｏｔｈのコードレス・テレフォニー・プロファイルに準拠したアプリケーションによって行なわれ、呼の制御には、ＢｌｕｅｔｏｏｔｈのＴＣＳバイナリープロトコルが用いられる。また、音声データはＳＣＯパケットを用いて通信される。
【０１１９】
まず、端末Ａは、ＢｌｕｅｔｏｏｔｈのＴＣＳプロトコルの呼発信を行なうことにより、発信を行なう。次に、端末Ａは、端末Ａの所有者が音声入力部に対して音声を発生すると、図８及び図９に示すように、Ａ／Ｄ変換した後、Ｂｌｕｅｔｏｏｔｈにより音声符号化し、イーサネットＬＡＮ２のアドレス（ＮＷアドレス）を付加してＢｌｕｅｔｏｏｔｈ（ＢＴ）のＳＣＯパケットとして、ゲートウェイＡに送信する。
【０１２０】
ＢｌｕｅｔｏｏｔｈのＳＣＯパケットを受信したゲートウェイＡは、ＳＣＯパケットからイーサネットＬＡＮ２のアドレスを取り出すとともに、音声パケットを取り出し、イーサネットＬＡＮ２上で送信するために、パケットを構成しなおして、イーサネットＬＡＮ２固有のヘッダー・ペイロードに付加してＩＰ化して、イーサネットＬＡＮ２上に送信する。
【０１２１】
ＬＡＮパケットを受信したゲートウェイＢは、受信したＬＡＮパケットを、ＢｌｕｅｔｏｏｔｈのＳＣＯパケットで送信するために、音声パケットを取り出すとともに、Ｂｌｕｅｔｏｏｔｈのアドレス（ＢＤアドレス）を取り出し、ＢｌｕｅｔｏｏｔｈのＳＣＯパケットに変換するという逆の操作を行ない、Ｂｌｕｅｔｏｏｔｈで端末Ｂに送信する。
【０１２２】
ＳＣＯパケットを受信した端末Ｂは、ＳＣＯパケットを分解して、音声を取り出すとともに、音声の復号化やエコーキャンセル等を行い、Ｄ／Ａ変換を行なった後、端末Ｂの音声出力部から音声出力を行なう。
【０１２３】
このように、本実施の形態の内線電話システム１は、請求項１のように、ゲートウェイ音声化方式の場合、ゲートウェイ３ａ〜３ｎが、Ｂｌｕｅｔｏｏｔｈ規格で音声通信可能な音声データとイーサネットＬＡＮ２上で通信可能なＩＰパケットとを相互に変換して、イーサネットＬＡＮ２上で音声データ通信を行い、端末１０ａ〜１０ｍが、複数のゲートウェイ３ａ〜３ｎのうち最寄りのゲートウェイ３ａ〜３ｎ及びイーサネットＬＡＮ２を介して他の端末１０ａ〜１０ｍに対して通話要求を発信し、当該他の端末１０ａ〜１０ｍが、当該他の端末１０ａ〜１０ｍの最寄りのゲートウェイ３ａ〜３ｎを介して当該通話要求を着信して、端末１０ａ〜１０ｍ同士が、ゲートウェイ３ａ〜３ｎ及びイーサネットＬＡＮ２を介して音声通話を行っている。
【０１２４】
したがって、専用の電話回線を引くことなく、また、従来のように２つの携帯電話端末を持ち歩くことなく、音声とＩＰパケットとを変換する機能を有するイーサネットＬＡＮ２に接続されたゲートウェイ３ａ〜３ｎとＢｌｕｅｔｏｏｔｈによる音声データの通信を行う２つの端末１０ａ〜１０ｍ間でイーサネットＬＡＮ２回線を利用して通話することができ、専用の電話回線を引くコストを削減することができるとともに、内線電話システム１の利用性を向上させることができる。
【０１２５】
次に、音声のパケット化を端末１０ａ〜１０ｍで行う端末音声化方式の場合の音声通信について、図１０及び図１１に基づいて説明する。
【０１２６】
音声のパケット化を端末１０ａ〜１０ｍで行う端末音声化方式の場合、端末１０ａ〜１０ｍとゲートウェイ３ａ〜３ｎが、ＢｌｕｅｔｏｏｔｈのＬＡＮアクセスプロファイルによって規定されたアプリケーションによって、ＷＡＰの通信を行う。
【０１２７】
まず、端末Ａは、端末Ａの所有者が音声入力部に対して音声を発生すると、図１０及び図１１に示すように、音声を符号化し、ＩＰパケット化する。このとき、端末Ａは、イーサネットのヘッダー・ペイロードを用いず、Ｂｌｕｅｔｏｏｔｈのヘッダー・ペイロード及びＬ２ＣＡＰやＲＦＣＯＭＭのデータを付加するとともに、イーサネットＬＡＮ２のアドレスを付加し、ＢｌｕｅｔｏｏｔｈのＬＡＰのパケットで規定されているＷＡＰパケットを組み立てる。すなわち、端末Ａは、ＶｏＩＰ端末として、直接ＶｏＩＰフォーマットのＩＰパケットを生成する。
【０１２８】
そして、端末Ａは、この音声データを含むＷＡＰパケットを、ゲートウェイＡに送信する。
【０１２９】
ゲートウェイＡは、端末Ａから受信したＷＡＰパケットからＢｌｕｅｔｏｏｔｈの固有の部分を除いた部分を取り出し、これにイーサネットＬＡＮ２のヘッダー・ペイロードに付加してＩＰパケットを構築して、ゲートウェイＢに送信する。このとき、ゲートウェイＡは、ＱｏＳに応じて、複数のＢｌｕｅｔｏｏｔｈパケットの音声部を１つのＩＰパケットにまとめたり、逆に、１つのＢｌｕｅｔｏｏｔｈパケットの音声部を複数のＩＰパケットに分割して送信する。
【０１３０】
ゲートウェイＡからＩＰパケットを受信したゲートウェイＢは、逆の動作によりＢｌｕｅｔｏｏｔｈのＬＡＰパケットで規定されているＷＡＰパケットを作成し、端末ＢにＷＡＰパケットを送信する。
【０１３１】
端末Ｂは、ＷＡＰパケットを受信すると、ＷＡＰパケットを分解して、音声データ部を取り出し、音声の復号化及びエコーキャンセル等の処理を行う。端末Ｂは、さらに、音声をＤ／Ａ変換し、音声出力部から出力する。
【０１３２】
このように、本実施の形態の内線電話システム１は、請求項２のように、端末音声化方式の場合、端末１０ａ〜１０ｍが、音声とイーサネットＬＡＮ２上で通信可能なＩＰパケットとを相互に変換し、ゲートウェイ３ａ〜３ｎが、ＢｌｕｅｔｏｏｔｈのＬＡＮ・アクセス・プロファイルのサーバまたはイーサネットＬＡＮに接続されているＰＡＮのゲートウェイとして機能し、端末１０ａ〜１０ｍが、ＢｌｕｅｔｏｏｔｈのＬＡＮ・アクセス・プロファイルのクライアントとしてサーバに接続する機能を有して、当該機能によりゲートウェイ３ａ〜３ｎを介してイーサネットＬＡＮ２にアクセスするとともに、ゲートウェイ３ａ〜３ｎ及びイーサネットＬＡＮ２を介して、ＩＰパケットによる音声データ通信を行なう機能を有し、端末１０ａ〜１０ｍが、複数のゲートウェイ３ａ〜３ｎのうち最寄りのゲートウェイ３ａ〜３ｎ及びイーサネットＬＡＮ２を介して他の端末１０ａ〜１０ｍに対して通話要求を発信し、当該他の端末１０ａ〜１０ｍが、当該他の端末１０ａ〜１０ｍの最寄りのゲートウェイ３ａ〜３ｎを介して当該通話要求を着信して、端末１０ａ〜１０ｍ同士が、ゲートウェイ３ａ〜３ｎ及びイーサネットＬＡＮ２を介しての音声通話を行っている。
【０１３３】
したがって、専用の電話回線を引くことなく、また、従来のように２つの携帯電話端末を持ち歩くことなく、音声とＩＰパケットとを変換する端末で、イーサネットＬＡＮ２に接続されたゲートウェイ３ａ〜３ｎとＰＰＰを用いたＬＡＮアクセスプロファイル、または、ＰＡＮプロファイルにより接続して、イーサネットＬＡＮ２上で音声データの通信を行うことができ、専用の電話回線を引くコストを削減することができるとともに、内線電話システム１の利用性を向上させることができる。
【０１３４】
次に、音声のパケット化をゲートウェイ３ａ〜３ｎで行うゲートウェイ音声化方式と音声のパケット化を端末１０ａ〜１０ｍで行う端末音声化方式が混在している場合の音声通信について、図１２に基づいて説明する。なお、いま、端末ＡとゲートウェイＡが、音声のパケット化をゲートウェイ３ａ〜３ｎで行うゲートウェイ音声化方式であり、端末ＢとゲートウェイＢが、音声のパケット化を端末１０ａ〜１０ｍで行う端末音声化方式であるとする。
【０１３５】
この場合、音声のパケット化をゲートウェイ３ａ〜３ｎで行う端末ＡとゲートウェイＡでは、ゲートウェイＢが、Ｂｌｕｅｔｏｏｔｈのコードレス・テレフォニー・プロファイル及びＴＣＳバイナリー・プロトコルで定められた方式で通信を行い、音声のパケット化を端末１０ａ〜１０ｍで行う端末ＢとゲートウェイＢでは、ゲートウェイＢが、Ｈ．３２３勧告またはＱＧＩＳを元にしたＶｏＩＰの方式で呼制御信号を中継する。
【０１３６】
すなわち、端末Ａは、音声のパケット化をゲートウェイＡが行うため、端末Ａの所有者が音声入力部に対して音声を発生すると、図１２に示すように、Ａ／Ｄ変換した後、Ｂｌｕｅｔｏｏｔｈにより音声符号化し、Ｂｌｕｅｔｏｏｔｈ（ＢＴ）のＳＣＯパケット（音声パケット）として、ゲートウェイＡに送信する。
【０１３７】
ＢｌｕｅｔｏｏｔｈのＳＣＯパケットを受信したゲートウェイＡは、ＳＣＯパケットから音声パケットを取り出し、イーサネットＬＡＮ２上で送信するために、パケットを構成しなおして、イーサネットＬＡＮ２固有のヘッダー・ペイロードに付加してＩＰ化して、イーサネットＬＡＮ２上に送信する。
【０１３８】
ＩＰパケットを受信したゲートウェイＢは、受信したＬＡＮパケット（ＩＰパケット）を、ＢｌｕｅｔｏｏｔｈのＳＣＯパケットで送信するために、音声パケットを取り出し、ＢｌｕｅｔｏｏｔｈのＳＣＯパケット（ＷＡＰパケット）に変換するという逆の操作を行ない、Ｂｌｕｅｔｏｏｔｈで端末Ｂに送信する。
【０１３９】
ＷＡＰパケットを受信した端末Ｂは、ＷＡＰパケットを分解して、ＩＰパケットを取り出すとともに、音声の復号化やエコーキャンセル等を行い、Ｄ／Ａ変換を行なった後、端末Ｂの音声出力部から音声出力を行なう。
【０１４０】
したがって、端末Ｂの所有者は、端末Ａの所有者が発した音声を聴くことができる。
【０１４１】
また、端末Ｂは、端末Ｂの所有者が音声入力部に対して音声を発生すると、当該音声を符号化し、ＩＰパケット化する。このとき、端末Ｂは、イーサネットのヘッダー・ペイロードを用いず、Ｂｌｕｅｔｏｏｔｈのヘッダー・ペイロード及びＬ２ＣＡＰやＲＦＣＯＭＭのデータを付加するとともに、イーサネットＬＡＮ２のアドレスを付加し、ＢｌｕｅｔｏｏｔｈのＬＡＰのパケットで規定されているＷＡＰパケットを組み立てる。すなわち、端末Ｂは、ＶｏＩＰ端末として、直接ＶｏＩＰフォーマットのＩＰパケットを生成し、この音声データを含むＷＡＰパケットを、ゲートウェイＢに送信する。
【０１４２】
ゲートウェイＢは、端末Ｂから受信したＷＡＰパケットからＢｌｕｅｔｏｏｔｈの固有の部分を除いた部分を取り出し、これにイーサネットＬＡＮ２のヘッダー・ペイロードに付加してＩＰパケットを構築して、ゲートウェイＡに送信する。
【０１４３】
ゲートウェイＢからＩＰパケットを受信したゲートウェイＡは、逆の動作によりＢｌｕｅｔｏｏｔｈのＬＡＰパケットで規定されているＷＡＰパケット（音声パケット）を作成し、端末ＡにＷＡＰパケットを送信する。
【０１４４】
端末Ａは、ＷＡＰパケットを受信すると、ＷＡＰパケットを分解して、音声データ部を取り出し、音声の復号化及びエコーキャンセル等の処理を行った後、音声をＤ／Ａ変換して、音声出力部から出力する。
【０１４５】
したがって、端末Ａの所有者は、端末Ｂの所有者が発した音声を聴くことができる。
【０１４６】
次に、外線ゲートウェイ４を介して一般加入電話回線２０に接続されている一般加入電話端末２１及び一般のＰＨＳや携帯電話等の一般携帯無線端末２２等の外線端末との間と通信を行う場合について、図１３〜図１５に基づいて説明する。
【０１４７】
外線ゲートウェイ４は、上述のように、イーサネットＬＡＮ２上のＩＰ電話と一般加入電話回線２０との交換器の役割を有しており、一般加入電話端末２１や一般携帯無線端末２２と内線であるイーサネットＬＡＮ２上の端末１０ａ〜１０ｍが通話を行えるように、一般加入電話回線２０及びイーサネットＬＡＮ２上の通信路の制御を行う。また、外線ゲートウェイ４は、一般加入電話回線２０の通話音声データとイーサネットＬＡＮ２を流れるＩＰパケットとの変換を行う機能を有している。
【０１４８】
すなわち、図１３に示すように、外線である一般加入電話回線２０に接続された一般加入電話端末２１及び一般のＰＨＳや携帯電話等の一般携帯無線端末２２等の外線端末から内線電話システム１のイーサネットＬＡＮ２上の端末１０ａ〜１０ｍの番号に対して発信を行なうと、まず、外線ゲートウェイ４が呼び出される。
【０１４９】
外線ゲートウェイ４は、外線の着信を受信すると、データベース５にアクセスして、呼び出された外線番号をイーサネットＬＡＮ２上のＩＰアドレスやＢｌｕｅｔｏｏｔｈのデバイスアドレス等の内線電話システム１のイーサネットＬＡＮ２上のアドレス（ＮＷアドレス）に変換するとともに、外線ゲートウェイ４は、同時に、回線交換型のアナログ通信である一般加入電話端末２１や一般携帯無線端末２２の音声を、イーサネットＬＡＮ２上に送信するために、パケット化を行なう。すなわち、外線ゲートウェイ４は、図１５（ａ）に示すように、外線からの音声に対して、Ａ／Ｄ変換を行い、音声の符号化を行なった後、イーサネットＬＡＮ２のヘッダー・ペイロードに符号化された音声を付加してＩＰパケット化する。この際、宛先情報として、受信側の端末１０ａ〜１０ｍのイーサネットＬＡＮ２上のアドレスを用いる。
【０１５０】
外線ゲートウェイ４は、図１３に示すように、このＬＡＮパケットをイーサネットＬＡＮ２を介して、相手先の端末１０ａ〜１０ｍである端末Ａの接続するゲートウェイＡを呼び出して送信し、ゲートウェイＡが端末Ａを呼び出して、端末Ａが着信することで、端末Ａと外線端末との通話が可能となる。
【０１５１】
逆に、内線電話システム１の端末１０ａ〜１０ｍ、例えば、端末Ａから外線に発信する場合には、上記とは逆のプロセスによって実現される。すなわち、図１４に示すように、端末１０ａ〜１０ｍ、例えば、端末Ａが外線への発信を行うと、ゲートウェイＡが端末Ａの発信を受信し、外線ゲートウェイ４に接続する。このとき、ゲートウェイＡは、上記図７〜図１２のいずれかの方式で、ＬＡＮパケットとして外線ゲートウェイ４に送信する。
【０１５２】
外線ゲートウェイ４は、図１５（ｂ）に示すように、ＬＡＮパケットから音声パケットを取り出して、ネットワークアドレス（ＮＷアドレス）を電話番号に変換して、外線への発信を行い、呼の制御を行って、端末Ａと外線端末との通信を可能な状態とする。また、外線ゲートウェイ４は、回線交換型の一般加入電話回線２０で音声を送信するために、ＬＡＮパケットから音声パケットを取り出して、音声の復号化やＤ／Ａ変換を行ない、一般加入電話回線２０を介して接続先の外線端末に送信する。また、外線ゲートウェイ４は、エコーキャンセル等の処理も併せて行なう。
【０１５３】
このように、本実施の形態の内線電話システム１は、イーサネットＬＡＮ２に、一般加入電話回線２０の接続された外線用ゲートウェイ４が接続されていて、当該外線用ゲートウェイ４が、イーサネットＬＡＮ２上のＩＰパケットによる音声データと一般加入電話回線２０の音声通信とを変換する機能及び着信信号と発信信号の変換を行なう機能を有し、一般加入電話回線２０からの外線番号による端末１０ａ〜１０ｍの呼び出しと、端末１０ａ〜１０ｍからの一般加入電話回線２０への外線発信とを行い、一般加入電話回線２０で通信可能な電話端末２１、２２と端末１０ａ〜１０ｍとの音声通話を可能としている。
【０１５４】
したがって、イーサネットＬＡＮ２回線を利用した端末１０ａ〜１０ｍ間の通話と一般加入電話回線２０の電話２１、２２と端末１０ａ〜１０ｍとの接続を可能にして、外線発信や外線からの着信及び通話を可能にすることができ、内線電話システム１を安価で、より一層利用性の良好なものとすることができる。
【０１５５】
次に、データベース５の検索処理について説明する。内線電話システム１は、利用者が、端末１０ａ〜１０ｍの所有者の氏名や所属部署等の断片的な記憶を頼りに、データベース５に対して検索を行うことで、通話したい相手を指定することができる。このデータベース５の検索処理について、図１６に基づいて説明する。
【０１５６】
内線電話システム１は、端末１０ａ〜１０ｍが、ゲートウェイ３ａ〜３ｎにデータベース５の情報検索を行わせる機能を持つアプリケーションを搭載しており、ゲートウェイ３ａ〜３ｎが、端末１０ａ〜１０ｍによるデータベース５の検索を仲介する機能を有している。
【０１５７】
そこで、まず、端末１０ａ〜１０ｍが、図１６に示すように、ゲートウェイ３ａ〜３ｎに対してデータベース５の検索を行いたいという要求を行う。ゲートウェイ３ａ〜３ｎは、データベース５の検索要求を受信すると、当該検索要求の受付を端末１０ａ〜１０ｍに行うとともに、データベース５にアクセスし、データ検索の仲介を開始する。端末１０ａ〜１０ｍの所有者は、所有者の氏名や所属部署等の断片的な記憶を手掛りに、データベース５の検索を行い、相手を特定する。データベース５の検索を行って相手先を特定すると、当該特定した相手のイーサネットＬＡＮ２上の識別情報を取得することができ、通信経路が確立される状態になる。
【０１５８】
そこで、端末１０ａ〜１０ｍの所有者が端末１０ａ〜１０ｍを使用して、当該相手先に発信を行うと、当該相手先との通話が可能となるように、ゲートウェイ３ａ〜３ｎ同士が接続を行って、上記同様に、相手の端末１０ａ〜１０ｍが着信を受け付けることで、端末１０ａ〜１０ｍ同士の音声通話が可能となる。
【０１５９】
このように、本実施の形態の内線電話システム１は、イーサネットＬＡＮ２に、端末１０ａ〜１０ｍの位置情報及び識別情報を管理するデータベース５が接続されていて、ゲートウェイ３ａ〜３ｎが、自身に接続していて着信を受けることのできる端末１０ａ〜１０ｍの識別情報を取得し、データベース５が、少なくともゲートウェイ３ａ〜３ｎのイーサネットＬＡＮ２上の識別情報と当該ゲートウェイ３ａ〜３ｎに接続している端末１０ａ〜１０ｍの識別情報及び当該端末１０ａ〜１０ｍの所有者を識別する情報を組にして管理するとともに、外線用ゲートウェイ４に接続されている一般加入電話回線２０の外線電話２１、２２の電話番号と当該電話番号の所有者の識別情報を登録して管理し、ゲートウェイ３ａ〜３ｎが、自身に接続している端末１０ａ〜１０ｍに関する情報に変更があると、データベース５に変更内容を通知し、データベース５が、当該通知に基づいて当該通知のあった端末１０ａ〜１０ｍに関する登録情報を変更し、ゲートウェイ３ａ〜３ｎが、当該データベース５を参照して、接続先のゲートウェイ３ａ〜３ｎを検索して通信の制御を行なっている。
【０１６０】
したがって、端末１０ａ〜１０ｍが通話を行なう際に、どのゲートウェイ３ａ〜３ｎに接続されているかを正確に知ることができるようにして、ゲートウェイ３ａ〜３ｎ同士のイーサネットＬＡＮ２上の通信路を容易に確立することができ、端末１０ａ〜１０ｍ同士の通話を速やかに行って、内線電話システム１を安価で、より一層利用性の良好なものとすることができる。
【０１６１】
次に、現在位置情報取得処理について説明する。内線電話システム１は、各ゲートウェイ３ａ〜３ｎの位置情報がデータベース５に予め登録されており、端末１０ａ〜１０ｍの所有者がゲートウェイ３ａ〜３ｎに発信すると、当該端末１０ａ〜１０ｍの通信を行っているゲートウェイ３ａ〜３ｎの位置情報をデータベース５から検索して、端末１０ａ〜１０ｍの位置情報を取得することができる。
【０１６２】
すなわち、データベース５は、ゲートウェイ３ａ〜３ｎの物理的な位置情報が合わせて登録されて管理しており、データベース５にアクセすることで、端末１０ａ〜１０ｍの所有者の現在の位置を知ることができるようにデータ登録が行われている。例えば、オフィスの自分の席にあるゲートウェイ３ａ〜３ｎに接続しているのか、あるいは、Ａ事業所の１０階の第３会議室のゲートウェイ３ａ〜３ｎに接続しているのか等の情報を得ることができる。
【０１６３】
また、特定のゲートウェイ３ａ〜３ｎに接続している端末１０ａ〜１０ｍ及び当該端末１０ａ〜１０ｍの所有者の氏名をデータベース５で検索し、その一覧を取得することもできる。その際、Ｂｌｕｅｔｏｏｔｈのインクワイアリーを用いて、接続している端末１０ａ〜１０ｍの情報を、最新のものに更新することもできる。
【０１６４】
このように、本実施の形態の内線電話システム１は、データベース５に、ゲートウェイ３ａ〜３ｎの物理的な位置情報をも記録し、端末１０ａ〜１０ｍが、ゲートウェイ３ａ〜３ｎの有している端末１０ａ〜１０ｍとデータベース５とのデータ通信の仲介機能を利用して、または、当該端末１０ａ〜１０ｍの有しているＬＡＮ・アクセス機能を用いて、ゲートウェイ３ａ〜３ｎを介してデータベース５にアクセスし、当該端末１０ａ〜１０ｍの所有者の現在位置を取得している。
【０１６５】
したがって、相手の接続しているゲートウェイ３ａ〜３ｎの位置情報から接続している相手の現在位置が分かるようにすることができ、内線電話システム１を安価で、より一層利用性の良好なものとすることができる。
【０１６６】
次に、着信情報表示処理について、図１７〜図２０に基づいて説明する。内線電話システム１は、データベース５に端末１０ａ〜１０ｍを特定する情報と当該端末１０ａ〜１０ｍの所有者の氏名等の発信者情報及び外線電話番号と当該外線電話番号の利用者の氏名等の発信者情報が対として登録されており、端末１０ａ〜１０ｍへの着信時に、当該端末１０ａ〜１０ｍへの発信元である相手先の発信者情報をデータベース５から検索して、着信先の端末１０ａ〜１０ｍに通知し、当該端末１０ａ〜１０ｍで表示等の所定の通知方法で通知する。
【０１６７】
すなわち、通常の市販のＰＨＳや携帯電話機は、一般的に、電話番号と氏名を対にして、メモリに登録して、着信時に、メモリから相手の番号対応する氏名検索を行い、発信者の氏名を表示させる機能を有している。
【０１６８】
本実施の形態の内線電話システム１においても、端末１０ａ〜１０ｍの各メモリに、電話番号や端末１０ａ〜１０ｍを特定する情報と相手先の氏名等の発信者情報を対として登録することで、着信時に、相手先の氏名等の発信者情報を表示させることができる。
【０１６９】
ところが、端末１０ａ〜１０ｍに発信者情報が登録されていない場合や端末１０ａ〜１０ｍがそのような機能を有していないときには、着信の相手が誰であるかを知ることができない。
【０１７０】
そこで、本実施の形態の内線電話システム１は、データベース５に、端末１０ａ〜１０ｍを特定する情報と当該端末１０ａ〜１０ｍの所有者の氏名等の発信者情報及び外線電話番号と当該外線電話番号の利用者の氏名等の発信者情報が対として登録されており、着信時に、当該着信の発信者情報をデータベース５から検索して、着信先の端末１０ａ〜１０ｍに通知して、当該端末１０ａ〜１０ｍの表示部に表示したり、音声出力することで発信者情報を通知する。
【０１７１】
また、この発信者情報通知機能は、端末１０ａ〜１０ｍに発信者情報通知機能をオン／オフすることができ、内線電話システム１は、当該発信者情報通知オン／オフの設定に応じて、発信者情報通知処理を行う。
【０１７２】
すなわち、いま、図１７に示すように、予め端末Ａで、着信時に、データーベース５から発信者の氏名等の発信者情報を取得し、端末Ａの表示画面に表示する発信者情報通知機能がオンに設定されていると、端末１０ａ〜１０ｍの１つである端末Ｂから他の端末１０ａ〜１０ｍである端末Ａに発信する場合、端末Ｂが端末Ａに発信を行うと、端末Ｂからの発信をゲートウェイＢが受け、ゲートウェイＢは、データベース５から発信先である端末Ａの接続先ゲートウェイＡを検索するが、このとき、同時に、端末Ａに関する情報として、端末Ａが、発信者の情報を表示するよう要求している情報（発信者情報通知機能オン情報）を取得する。ゲートウェイＢは、端末Ａの発信者情報通知機能がオンであると、データベース５にアクセスして、接続先情報を入手するとともに、発信者情報要求を行う。
【０１７３】
次に、ゲートウェイＢは、相手先である端末Ａの接続先のゲートウェイＡを呼び出し、また、データベース５から発信者情報を取得して、当該取得した発信者情報をゲートウェイＡに送信する。
【０１７４】
ゲートウェイＡは、ゲートウェイＢからの要求に応じて、端末Ａを呼び出すとともに、ゲートウェイＢから送られてきた発信者情報を端末Ａに送信する。
【０１７５】
端末Ａは、ゲートウェイＡからの着信に応じて、着信を通知するとともに、ゲートウェイＡから送られてきた発信者情報を表示部に表示したり、音声通知等で、発信者情報を通知する。
【０１７６】
また、この発信者情報通知処理では、図１８に示すように、端末Ａに対する通話要求があった場合に、ゲートウェイＡが、データベース５から発信者の情報を検索して、端末Ａに送信し、発信者情報を端末Ａの表示部に表示したり、音声通知等で、発信者情報を通知するようにしてもよい。
【０１７７】
さらに、図１９に示すように、ゲートウェイＡが、ゲートウェイＢから発信者を特定する情報を受け取って、データベース５から発信者情報を検索し、発信者情報を端末Ａの表示部に表示したり、音声通知等で、発信者情報を通知するようにしてもよい。
【０１７８】
また、端末Ａが着信を受けた場合に相手の情報を知りたい場合には、直ぐに通話を行わず、発信者情報を表示等での通知を要求して、発信者を確認した後に通話を行うようにしてもよい。この場合、図２０に示すように、着信を受けた端末Ａが、ゲートウェイＡに対して発信者情報を要求するコマンドを送信し、ゲートウェイＡがデータベース５にアクセスして、データベース５から取得した発信者情報をＢｌｕｅｔｏｏｔｈを用いた通信によって端末Ａに返してもらって、受け取った発信者情報を端末Ａの表示部に表示したり、音声通知等で、発信者情報を通知する。
【０１７９】
なお、この場合、端末Ａに着信があった場合、端末ＡがゲートウェイＡを介してデータベース５にアクセスし、発信者情報を検出して、取得し、当該取得した発信者情報を端末Ａの表示部に表示したり、音声通知等で、発信者情報を通知するようにしてもよい。
【０１８０】
このように、本実施の形態の内線電話システム１は、端末１０ａ〜１０ｍが、他の端末１０ａ〜１０ｍから着信を受けると、データベース５から当該発信側の端末１０ａ〜１０ｍの所有者の識別情報を取得している。
【０１８１】
したがって、端末１０ａ〜１０ｍのメモリに記録されていない発信者からの着信であっても、データベース５から情報を入手して、着信の相手先が誰であるかが分かるようにして、円滑な応対や不用な電話への応対を拒否できるようにすることができ、内線電話システム１を安価で、より一層利用性の良好なものとすることができる。
【０１８２】
次に、本実施の形態の内線電話システム１で、イーサネットＬＡＮ２に接続されているゲートウェイである情報機器３ｎを使用して、通信相手先に発信を行うとともに、当該ゲートウェイとしての情報機器３ｎに接続している端末１０ａ〜１０ｍを子機として使用して、端末１０ａ〜１０ｍ間での通話を行う場合について、図２１に基づいて説明する。
【０１８３】
いま、図１の内線電話システム１において、ゲートウェイ機能を有する情報機器３ｎは、情報機器３ｎの利用者が情報機器３ｎの設置されている場所（例えば、自席）で他の端末１０ａ〜１０ｍの所有者と通話を行う場合、情報機器３ｎにマイクロフォン等の音声入力装置及びヘッドフォンやスピーカ等の音声出力装置が接続されていると、情報機器３ｎをＩＰ電話端末として使用することもできる。
【０１８４】
ところが、オフィスの自席に、このような機能を備えた情報機器３ｎがある場合であっても、自席にいる場合に、必ず情報機器３ｎで会話を行う必要はない。自席で使用するために、情報機器３ｎにマイクロフィンやヘッドフォン等をつないだり、Ｂｌｕｅｔｏｏｔｈのヘッドセットを１セット用意するよりは、自席にいる場合は、持ち運び可能な端末１０ａ〜１０ｍ、例えば、端末１０ｃを情報機器３ｎの子機として、使用することの方が利便性が高い。
【０１８５】
そこで、本実施の形態の内線電話システム１は、情報機器３ｎに、特別に、音声入出力装置を設けることなく、音声の入出力を全て端末１０ｃで行う。
【０１８６】
しかし、発信を行う場合、情報機器３ｎの使用者は、通常、情報機器３ｎに向かって仕事をしており、しかも情報機器３ｎの表示画面の方が端末１０ｃの表示画面よりも大きいため、情報機器３ｎを用いて発信や情報検索を行う方が、端末３ｃを使用して発信や情報検索を行うより、利便性が高い。
【０１８７】
そこで、内線電話システム１では、情報機器３ｎを操作して直接発信を行うとともに、端末１０ｃをその発信に対して子機として使用して、端末１０ｃで通話を行えるようにしている。
【０１８８】
すなわち、図２１に示すように、情報機器３ｎ（図２１では、ゲートウェイ機能ＰＣと表示）が端末１０ｃ（図２１では、端末Ａと表示）をヘッドセット（すなわち、子機）として使用する場合、発信元は情報機器３ｎとなり、情報機器３ｎから通常の発信を行う。すなわち、情報機器３ｎは、データベース５にアクセスし、相手の端末Ｂの接続先のゲートウェイ３ａ〜３ｎ、例えば、ゲートウェイＢを検索し、当該相手接続先ゲートウェイＢを呼び出すとともに、Ｂｌｕｅｔｏｏｔｈのヘッドセットプロファイルのオーディオ・ゲートウェイとして機能し、ヘッドセットとして機能する端末１０ｃに対して、ヘッドセット制御を行って、音声通話を可能な状態（着信待ち受け状態）に設定する。すなわち、情報端末２ｃは、ヘッドセットプロファイルのオーディオ・ゲートウェイとしての機能と、ＶｏＩＰの規格のＬＡＮに直接接続されたＩＰ電話端末として機能している。
【０１８９】
そして、呼出を受けたゲートウェイＢが端末Ｂを呼び出して、端末Ｂが着信すると、着信応答待ち受け状態の端末Ａと通話が可能な状態となり、以降、端末Ａと端末Ｂが通話可能となる。
【０１９０】
このように、本実施の形態の内線電話システム１は、ゲートウェイ３ａ〜３ｎとして、データベース５にアクセスして当該データベース５を検索する情報処理機能を備えたゲートウェイ３ａ〜３ｎ、例えば、ゲートウェイ３ｎが、発信時、当該データベース５を検索し、当該検索結果から当該情報処理機能を備えるゲートウェイ３ｎの操作者が所望の通信相手を選択すると、当該選択された通信相手先に発信を行うとともに、当該ゲートウェイ３ｎに接続している端末１０ａ〜１０ｍ、例えば、端末１０ｃを、当該発信に対する応答待ち受け状態に制御し、発信相手の端末１０ａ〜１０ｍが応答すると、当該待ち受け状態の端末１０ｃとの通信を可能としている。
【０１９１】
したがって、ゲートウェイの機能を有したパーソナルコンピュータ等の情報処理装置であるゲートウェイ３ｎを操作して、当該パーソナルコンピュータ等のゲートウェイ３ｎを親機とし、当該パーソナルコンピュータを操作する人の所有する端末１０ｃを子機として、他の端末１０ａ〜１０ｍと通話を行えるようにして、端末１０ａ〜１０ｍを操作するよりも操作の行いやすいパーソナルコンピュータ等の情報処理装置で操作して、端末１０ａ〜１０ｍを使用した通話を行うことができ、内線電話システム１を安価で、より一層利用性の良好なものとすることができる。
【０１９２】
また、上述のように、情報機器３ｎが親機となり端末１０ｃが子機となる場合、内線電話システム１では、端末１０ｃに着信があると、情報機器３ｎの表示画面に発信者に関する発信者情報等の着信情報を表示させることができる。
【０１９３】
すなわち、例えば、図２２に示すように、端末Ｂから発信があると、ゲートウェイＢが発信先の接続先のゲートウェイ３ａ〜３ｎである情報機器（ゲートウェイ機能ＰＣ）３ｎを呼び出すとともに、データベース５にアクセスして、データベース５から発信者の情報を取得し、当該取得した発信者情報を情報機器３ｎに送信する。
【０１９４】
情報機器３ｎは、ゲートウェイＢから呼び出しがあると、端末１０ｃ（図２２では、端末Ａと表示）をＢｌｕｅｔｏｏｔｈで呼び出すとともに、ゲートウェイＢから受信した発信者情報を情報機器３ｎの表示画面に表示する。
【０１９５】
そして、情報機器３ｎの利用者であって端末１０ｃの所有者が、情報機器３ｎに表示される発信者情報を確認して、端末１０ｃで着信すると、端末１０ｃ（端末Ａ）と端末Ｂとの通話が可能な状態となる。
【０１９６】
したがって、発信者の識別情報を端末１０ａ〜１０ｍよりも大きな表示画面のパーソナルコンピュータ等の情報処理装置であるゲートウェイ１０ｃの表示画面に表示することができ、内線電話システム１を安価で、より一層利用性の良好なものとすることができる。
【０１９７】
なお、この場合、情報機器３ｎをゲートウェイとしてのみ機能させ、発信者情報を端末１０ｃに送信して、端末１０ｃの表示画面に表示出力させるようにしてもよいし、端末１０ｃをヘッドセット、すなわち、子機として使用せず、情報機器３ｎをゲートウェイとするとともに内線端末として使用し、着信があった場合、情報機器３ｎに発信者情報を表示させるとともに、情報機器３ｎで着信を受けるようにしてもよい。
【０１９８】
さらに、内線電話システム１は、端末１０ａ〜１０ｍが、図１の端末１０ｍのように、一般のＰＨＳ端末または携帯電話機としても使用できる端末であるときには、データベース５のネットワーク識別子として、ＰＨＳまたは携帯電話機の番号を登録し、その外線番号に転送するよう設定することで、内線電話システム１の端末１０ａ〜１０ｍとして、利用することができる。この場合、内線電話システム１は、内線電話システム１の通信可能圏外にいる相手に対して発信を行った場合にも、自動的にＰＨＳまたは携帯電話機に対して外線発信が行われるように、通信路の設定を行い、通話を可能にする。
【０１９９】
すなわち、図２３に示すように、外線端末に設定されている端末１０ｍ以外の端末１０ａ〜１０ｍである端末Ａから外線転送設定の行われている端末１０ｍである端末Ｂに対して発信を行うと、ゲートウェイＡが、データベース５にアクセスし、転送設定情報、すなわち、ＰＨＳまたは携帯電話機の番号を取得するとともに、外線に発信する外線ゲートウェイ４に接続する。外線ゲートウェイ４は、ゲートウェイＡから受け取った番号にダイアル発信し、端末Ｂの近傍の無線基地局２３までの接続が確立される。基地局２３が、端末Ｂを呼び出すことで、端末Ｂは着信を受け、端末Ａと端末Ｂの通話が可能な状態になる。
【０２００】
このように、本実施の形態の内線電話システム１は、イーサネットＬＡＮ２が、一般加入電話回線２０に接続された外線用ゲートウェイ４に接続されていて、端末１０ａ〜１０ｍの少なくとも１つ、例えば、端末１０ｍが、当該一般加入電話回線２０を介して通話可能な携帯電話端末、ＰＨＳ端末等の外線無線携帯端末として機能し、当該外線無線携帯端末としての機能を有する端末１０ｍの外線電話番号をデータベース５に登録して、当該端末１０ｍへの発信に際して、当該端末１０ｍが一般加入電話回線２０に接続されていると、当該データベース５に登録されている外線電話番号に転送している。
【０２０１】
したがって、外線電話番号先にも転送することができ、内線電話システム１を安価で、より一層利用性の良好なものとすることができる。
【０２０２】
また、データベース５への転送設定は、所有者が手動で行ってもよいし、内線電話システム１のいずれのゲートウェイ３ａ〜３ｎにも発信先の端末１０ａ〜１０ｍが接続されていない場合に、自動的に転送を行うように、データベース５に登録するようにしてもよし、さらに、端末１０ａ〜１０ｍへの一定回数以上の呼び出しに対して、当該端末１０ａ〜１０ｍから応答がない場合に、転送を行うよう設定してもよい。
【０２０３】
また、着信の転送としては、他の端末１０ａ〜１０ｍを転送先として設定することもでき、このとき、通常の内線電話のように端末１０ａ〜１０ｍに転送設定するのではなく、データベース５に転送内容を設定する。このようにデータベース５に転送内容を設定すると、転送による通話経路の制御に要する時間を短縮することができる。
【０２０４】
また、内線電話システム１は、留守番電話サービス機能を有しており、留守番電話サービスを実行する。
【０２０５】
すなわち、内線電話システム１のイーサネットＬＡＮ２には、図１に示したように、留守電サーバ６が接続されており、端末１０ａ〜１０ｍの所有者は、内線電話システム１の通話可能圏外にいる場合や電話に出る意志のない場合に、留守番電話サービスを実行するように、データベース５の設定を変更する機能を有している。また、データベース５への留守番電話設定は、端末１０ａ〜１０ｍの所有者が端末１０ａ〜１０ｍの電源を切っている場合や通信が不可能でありデータベース５に現在の接続ゲートウェイ３ａ〜３ｎの情報がない場合に、自動的に留守番電話サービスを実行するように自動設定し、その後、いずれかのゲートウェイ３ａ〜３ｎに端末１０ａ〜１０ｍが接続すると、留守番電話サービスの設定を自動的に停止するようにデータベース５に設定する自動設定機能を有している。さらに、データベース５への留守番電話設定は、端末１０ａ〜１０ｍが一定時間以上呼び出しに応答しなかった場合、留守番電話サービスを利用するように自動設定する機能も有している。
【０２０６】
そして、内線電話システム１は、図２４に示すように、留守番電話サービスを実施する。すなわち、端末１０ａ〜１０ｍあるいは外線端末（以下、端末Ａという。）が、現在留守番電話サービスを使用するよう設定されている端末１０ａ〜１０ｍと通話を行おうとして発信した場合、端末Ａが発信を行うと、ゲートウェイＡに接続され、ゲートウェイＡは、ネットワークアドレスを取得するために、データベース５にアクセスする。このとき、データベース５には、当該発信先の端末１０ａ〜１０ｍに留守電サービスが設定されているため、ゲートウェイＡは、データベース５から発信先の端末１０ａ〜１０ｍが留守番電話サービスを使用している旨の情報を取得する。
【０２０７】
ゲートウェイＡは、留守電サーバ６に接続し、端末Ａを、留守電サーバ６に接続する。したがって、端末Ａは、留守電サーバ６にメッセージを録音することが可能な状態になる。
【０２０８】
留守電サーバ６は、端末Ａから発声された録音メッセージを録音し、録音メッセージの吹き込みと録音が完了すると、留守電サービスを終了する。
【０２０９】
さらに、留守電サーバ６は、電子メールを発信する機能を有しおり、データベース５は、端末１０ａ〜１０ｍの所有者の電子メールアドレスを所有者の情報の一つとして合わせ登録する機能を有している。
【０２１０】
そして、留守電サーバ６は、留守録を行うと、図２４に示すように、留守録の発信先に留守電メッセージがある旨の電子メールを送信する。すなわち、留守電サーバ６は、留守番電話サービスに留守番メッセージが録音されると、データベース５にアクセスして、留守電サービスを使用している端末１０ａ〜１０ｍの所有者であって、当該留守番メッセージの相手先の電子メールアドレスを検索して取得し、当該取得した電子メールアドレス宛に電子メールを送信して、留守番メッセージが入っていることを通知する。その際、誰からのメッセージであるかも、データベース５から検索して、電子メール上に記載して通知してもよい。特に、電子メールの件名に留守電の録音者の氏名を記載することが好ましい。
【０２１１】
この電子メールを、端末１０ａ〜１０ｍで受信してもよいし、他の通信手段、例えば、私用で用いるＰＨＳや携帯電話機、公衆電話等の一般加入回線の電話機、さらには、パーソナルコンピュータやＰＤＡ等のモバイル情報端末で受信してもよい。
【０２１２】
そして、電子メールを受信した端末１０ａ〜１０ｍの所有者は、留守電サーバ６にアクセスして、直ちに録音されたメッセージを聞くことができる。
【０２１３】
また、留守電サーバ６は、電子メールを送信する際に、電子メールそのものに録音した留守番メッセージを添付して送信してもよい。
【０２１４】
この場合、留守電サーバ６は、信号処理を行って、録音された音声メッセージ（留守番メッセージ）をデータ圧縮して送信してもよいし、録音する音声メッセージがイーサネットＬＡＮ２上を通る際に、既に圧縮処理を受けているので、録音する際に、そのまま音声のＩＰパケットを組み立てて、圧縮したまま、ディジタルデータとして記憶して、当該圧縮されている録音メッセージを送信してもよい。
【０２１５】
このように、本実施の形態の内線電話システム１は、イーサネットＬＡＮ２に、留守番電話サービスを行う留守番電話サービスサーバ６が接続されていて、端末１０ａ〜１０ｍ毎に、データベース５に当該留守番電話サービスを利用する旨が登録可能であり、当該留守番電話サービスを利用する旨の登録されている端末１０ａ〜１０ｍに通話要求があると、ゲートウェイ３ａ〜３ｎに当該通話要求を留守番電話サービスサーバ６に接続させ、留守番電話サービスサーバ６が、当該通話要求元の相手の端末宛の留守番電話メッセージを録音し、当該端末１０ａ〜１０ｍが、留守番電話サービスサーバ６から自己宛の留守番電話メッセージを取得できるようにしている。
【０２１６】
したがって、不在時等の端末１０ａ〜１０ｍへの着信に出ることのできない場合に留守番電話メッセージを録音することができ、内線電話システム１を安価で、より一層利用性の良好なものとすることができる。
【０２１７】
また、本実施の形態の内線電話システム１は、データベース５に、端末１０ａ〜１０ｍの所有者の指定する電子メールアドレスを当該所有者を特定して登録し、留守番電話サービスサーバ６が、留守番電話メッセージを録音すると、当該留守番電話メッセージの宛先の端末１０ａ〜１０ｍの所有者の電子メールアドレスをデータベース５から取得して、当該電子メールアドレス宛に少なくとも留守番電話メッセージが録音されている旨を電子メールで通知し、当該所有者の指定に応じて、録音している留守番電話メッセージを電子メールに添付して送信している。
【０２１８】
したがって、留守番電話メッセージがあることが端末１０ａ〜１０ｍの所有者に分かるようにすることができ、また、留守番電話メッセージを電子メールで直接受け取れるようにすることができ、内線電話システム１を安価で、より一層利用性の良好なものとすることができる。
【０２１９】
また、内線電話システム１は、代理応答機能を有しており、この代理応答は、ゲートウェイ３ａ〜３ｎに変わって代理応答設定されている端末１０ａ〜１０ｍが行う。
【０２２０】
この場合、代理応答を行うゲートウェイとして、図１のゲートウェイ３ｂのように、ゲートウェイ自身が通話機能を有しているものを使用することで、実現できるが、ゲートウェイ自身が通話機能を有していない場合であっても、電子音等の発声機能で着信を知らせる機能を有しているものであっても実現することができる。また、自動応答モードに設定するのは、端末１０ａ〜１０ｍの所有者が手動で設定することができるが、手動設定に限るものではなく、例えば、端末１０ａ〜１０ｍの所有者が電話に出ることが不可能である場合やある一定回数の呼び出しに応答しなかった場合に、自動的に代理応答モードに入るように設定されていてもよい。
【０２２１】
すなわち、図２５に示すように、ある端末１０ａ〜１０ｍの所有者が、留守にするため、データベース５に対して、ゲートウェイＢに代理着信するよう設定している場合、他の端末１０ａ〜１０ｍである端末Ａが当該代理着信依頼設定を行っている端末に対して発信し、ゲートウェイＡが端末Ａの発信を受信すると、ゲートウェイＡは、データベース５にアクセスして、代理着信依頼設定を行っている端末の代理着信に設定されているゲートウェイＢを検索することとなり、ゲートウェイＢに着信が行われて、着信音が鳴る。
【０２２２】
一方、ゲートウェイＢに接続中の端末Ｂは、通常の内線電話のように、代わりに応答する機能を有している。ゲートウェイＢに着信があると、端末Ｂは、代理応答を行う。これにより、ゲートウェイＢから端末Ｂに通信路が変更され、端末Ａと端末Ｂの通話が可能となる。
【０２２３】
なお、代理応答は、音声のＩＰパケット化をゲートウェイ３ａ〜３ｎで行うゲートウェイ音声化方式で、コードレス・テレフォニー・プロファイルを用いる場合は、通常の内線電話の代理応答の仕組みをそのまま利用することができ、また、音声のＩＰパケット化を端末１０ａ〜１０ｍで行う端末音声化方式でＬＡＮアクセスによりゲートウェイに接続する場合は、代理応答を要求するコマンドのみをコードレス・テレフォニー・プロファイルに基づいたアプリケーションプログラムから送信するか、ＩＰパケットにより、コマンドを送信することにより実現することができる。
【０２２４】
このように、本実施の形態の内線電話システム１は、端末１０ａ〜１０ｍが、特定のゲートウェイ３ａ〜３ｎからの自己宛以外の着信を代わりに受ける代理応答可能状態に設定可能であり、ゲートウェイ３ａ〜３ｎが、着信のあった端末１０ａ〜１０ｍが代理応答依頼状態に設定されていると、着信を受けることのできない状態であるか、着信を拒否する場合に、着信先を特定のゲートウェイ３ａ〜３ｎに切り換えて着信させ、当該着信を受けた特定のゲートウェイ３ａ〜３ｎが、当該着信を代理応答可能状態に設定されている端末１０ａ〜１０ｍに接続し、当該代理応答可能状態の端末１０ａ〜１０ｍが、当該着信を代理で受けて通話する。
【０２２５】
したがって、着信を受けることのできない端末１０ａ〜１０ｍに変わって他の端末１０ａ〜１０ｍで代理応答することができ、内線電話システム１を安価で、より一層利用性の良好なものとすることができる。
【０２２６】
そして、内線電話システム１は、上述のように、各種機能を有しているが、また、端末１０ａ〜１０ｍには、一般の携帯電話機のマナーモードのように、着信音を消して、代わりに機械振動を用いて着信を知らせる機能を備えていてもよい。特に、特定のゲートウェイ３ａ〜３ｎに接続されている場合は、マナーモードの起動を自動的に解除する。
【０２２７】
例えば、会議中に、会議室にあるゲートウェイ３ａ〜３ｎに接続している場合、端末１０ａ〜１０ｍの所有者は、端末１０ａ〜１０ｍをマナーモードに設定して機械振動により着信を知らせるように設定し、会議の迷惑にならないようにするが、オフィスの自分の席のように、マナーモードを使用する必要のない場所に戻った場合、自席のゲートウェイ３ａ〜３ｎに接続したときに、マナーモードを自動解除するように、端末１０ａ〜１０ｍの設定を行うことで、マナーモードを解除するのを忘れて、呼び出しに気付かないという事態を防止することができる。
【０２２８】
そこで、内線電話システム１は、端末１０ａ〜１０ｍの記憶部に、マナーモードを用いないゲートウェイ３ａ〜３ｎの識別情報を登録し、端末１０ａ〜１０ｍが、この記憶部に登録されたゲートウェイ３ａ〜３ｎに接続すると、マナーモードを自動的に解除する命令を発生して、マナーモードを自動解除する。
【０２２９】
また、端末１０ａ〜１０ｍがマナーモードになっているかどうかを、ゲートウェイ３ａ〜３ｎがＢｌｕｅｔｏｏｔｈにより検索してもよい。すなわち、ゲートウェイ３ａ〜３ｎが、端末１０ａ〜１０ｍと接続する際、データベース５にアクセスして、当該端末１０ａ〜１０ｍに関する設定情報が、当該ゲートウェイ３ａ〜３ｎ自身と接続する場合に、マナーモードを禁止する設定になっているかを検索して、マナーモードの検出を行う。また、サービスディスカバリーによって、検索可能なサービス属性の一つとして、マナーモードというものを定義すると、ゲートウェイ３ａ〜３ｎは、端末１０ａ〜１０ｍがマナーモードを利用しているかどうかを検索することができる。さらに、端末１０ａ〜１０ｍとゲートウェイ３ａ〜３ｎが接続するためのアプリケーションによって、マナーモードの検索、解除を行うようにしてもよい。
【０２３０】
また、マナーモードを使用しない設定になっているゲートウェイ３ａ〜３ｎと接続した場合、端末１０ａ〜１０ｍが電子音または機械振動、あるいは、発光・点滅等の方法で、マナーモードを解除するように、当該端末１０ａ〜１０ｍの所有者に通知する機能を設けることで、実現することができる。
【０２３１】
さらに、オフィスの自席に、ゲートウェイとして、ＩＰ電話端末として使用することも可能なゲートウェイ機能付情報機器３ｎが設置されており、このゲートウェイ機能付き情報機器３ｎが、ヘッドセットプロファイルにおけるオーディオゲートウェイとして機能し、かつ、端末１０ａ〜１０ｍが、ヘッドセットプロファイルを備えている場合には、ヘッドセットとして使用した場合の方が便利である。この場合、特定のゲートウェイ３ａ〜３ｎに接続すると、ヘッドセットとして使用するように設定することで、自動的にヘッドセットとして機能するようにすることができる。
【０２３２】
また、端末１０ａ〜１０ｍが、ヘッドセットプロファイルを有しＩＰ電話端末として使用することも可能なゲートウェイ機能付情報機器と接続した場合、自動的にヘッドセットプロファイルにより接続するように設定してもよい。
【０２３３】
このように、本実施の形態の内線電話システム１は、端末１０ａ〜１０ｍを、着信音を消して、機械振動等で着信を通知するマナーモードを有し、当該マナーモードに設定されている状態で、特定のゲートウェイ３ａ〜３ｎに接続すると、少なくとも当該ゲートウェイ３ａ〜３ｎに接続している間は、当該マナーモードを自動解除する。
【０２３４】
したがって、着信音を発声させることのできない場所でマナーモードに設定しても、例えば、オフィスの自分の席のように、マナーモードを使用する必要のない場所では、マナーモードを解除するのを忘れていても自動的に解除することができ、着信に対して適切に対応できるようにして、内線電話システム１を安価で、より一層利用性の良好なものとすることができる。
【０２３５】
また、内線電話システム１は、端末１０ａ〜１０ｍがゲートウェイ３ａ〜３ｎを自動検索する機能を有している。このゲートウェイ自動検索機能について、図２６に基づいて説明する。
【０２３６】
端末１０ａ〜１０ｍは、図２６に示すように、まず、ゲートウェイ３ａ〜３ｎに接続中であるかチェックし（ステップＳ１０１）、接続中のときには、ゲートウェイ３ａ〜３ｎとの接続状態を維持する（ステップＳ１１２）。
【０２３７】
ステップＳ１０１で、ゲートウェイ３ａ〜３ｎと接続中でないときには、タイマーがリセットされると（ステップＳ１０３）、端末１０ａ〜１０ｍは、まず、Ｂｌｕｅｔｏｏｔｈの基本機能であるインクワイアリーを用いて、周囲にあるＢｌｕｅｔｏｏｔｈデバイスの検索を行う（ステップＳ１０３）。なお、この場合、ゲートウェイ３ａ〜３ｎを限定インクワイアリー応答するよう設定し、一方、端末１０ａ〜１０ｍは、ゲートウェイ３ａ〜３ｎが使用するクラスのデバイスのみを応答するように、デバイスクラスを指定して限定インクワイアリーを行うシステム設定を行ってもよい。したがって、端末１０ａ〜１０ｍの行うインクワイアリーに対して、携帯電話機やファクシミリ装置等のゲートウェイ３ａ〜３ｎとは明らかに異なる機器が応答してくることにより、ゲートウェイ３ａ〜３ｎの検索に要する時間が無駄に増加することを防ぐことができるとともに、ゲートウェイ３ａ〜３ｎも関係一々他のＢｌｕｅｔｏｏｔｈ機器のインクワイアリーに応答する必要がなくなるため、本来の端末１０ａ〜１０ｍとの通信の効率を高めることができる。
【０２３８】
そして、このゲートウェイ自動検索においては、タイマーを用いて、ゲートウェイ検索動作を周期的に繰り返し行っており、繰り返し時間は、あまり頻繁に行ってもイーサネットＬＡＮ２のトラフィックを不要に増加させてしまうため、例えば、５分おきに行うよう設定する。
【０２３９】
そして、端末１０ａ〜１０ｍは、デバイスの検索を行うと、新規デバイスを発見したかチェックする（ステップＳ１０４）。この新規デバイスを発見したか否かの判断では、繰り返し検索動作において、一度、ゲートウェイ３ａ〜３ｎでないと判断した機器や接続を拒否されたゲートウェイ３ａ〜３ｎのＢｌｕｅｔｏｏｔｈデバイスアドレスを記録し、この記録に基づいて、新規デバイスを発見したか否かを判断する。
【０２４０】
ステップＳ１０４で、新規デバイスが発見されなかったときには、端末１０ａ〜１０ｍは、同じデバイスに対して何度もゲートウェイかどうかを検索する動作を省略するために、タイマーが完了するまで待機し（ステップＳ１０５）、タイマーが終了すると、ステップＳ１０２に戻って、上記同様に処理する（ステップＳ１０２〜Ｓ１０４）。
【０２４１】
ステップＳ１０４で、新規のＢｌｕｅｔｏｏｔｈ機器を発見すると、端末１０ａ〜１０ｍは、ゲートウェイサービス検索を行い（ステップＳ１０６）、ゲートウェイを発見したかどうかチェックする（ステップＳ１０７）。このゲートウェイサービス検索では、当該新しく発見した新規デバイスに対して、Ｂｌｕｅｔｏｏｔｈのサービス・ディスカバリー・プロトコル（ＳＤＰ）を用いて、サービスの検索を行う。例えば、音声のパケット化をゲートウェイ３ａ〜３ｎで行うゲートウェイ音声化方式の端末１０ａ〜１０ｍの場合には、コードレス・テレフォニー・プロファイルに準拠したサービスを提供可能な機器を、また、音声のパケット化を端末１０ａ〜１０ｍで行う端末音声化方式の機器の場合には、ＰＰＰを用いたＬＡＮアクセス・プロファイル、あるいは、ＷＡＰに準拠したサービスを提供可能な機器をそれぞれ検索する。また、そのプロファイルが内線電話システム１のゲートウェイ３ａ〜３ｎとして機能するかどうかは、サービス名やＷＡＰゲートウェイ（ＵＵＩＤ＝０ｘ０３０７）等の属性によって判別できるように、ゲートウェイにサービスの登録を行い、端末１０ａ〜１０ｍが、サービス属性から内線電話システム１の機能を有するゲートウェイであることを特定できるようにする。このように内線電話システム１の設定を行うことで、端末１０ａ〜１０ｍは、発見したＢｌｕｅｔｏｏｔｈ機器が、ゲートウェイ３ａ〜３ｎをＳＤＰによってふるい分けすることができる。
【０２４２】
ステップＳ１０７で、ゲートウェイを発見できなかった場合には、端末１０ａ〜１０ｍは、ステップＳ１０４で発見したＢｌｕｅｔｏｏｔｈデバイスはゲートウェイではないことを記録し、タイマー完了まで待機して（ステップＳ１０５）、タイマーが完了すると、ステップＳ１０２に戻って、上記同様に処理する（ステップＳ１０２〜Ｓ１０７）。
【０２４３】
ステップＳ１０７で、ゲートウェイ３ａ〜３ｎを発見すると、端末１０ａ〜１０ｍは、発見したことを当該端末１０ａ〜１０ｍの所有者に通知する（ステップＳ１０８）。このゲートウェイ発見の通知は、例えば、通常の電話着信とは異なる着信音を発生させる方法、機械振動を発生させる方法、端末１０ａ〜１０ｍの表示部にその旨のメッセージを表示させる方法、あるいは、端末１０ａ〜１０ｍに取り付けられている発光素子を点滅させる方法等で行う。
【０２４４】
次に、端末１０ａ〜１０ｍは、当該端末１０ａ〜１０ｍの所有者に対して、発見したゲートウェイ３ａ〜３ｎとの接続を希望するかどうかの問い合わせを行い（ステップＳ１０９）、所有者が接続を希望しないときには、当該発見したゲートウェイを、発見ゲートウェイとして登録し、タイマー完了まで待機して（ステップＳ１０５）、タイマーが完了すると、ステップＳ１０２に戻って、上記同様に処理する（ステップＳ１０２〜Ｓ１０９）。
【０２４５】
ステップＳ１０９で、端末１０ａ〜１０ｍの所有者が接続を希望すると、端末１０ａ〜１０ｍは、当該発見したゲートウェイ３ａ〜３ｎに対して、接続要求を行い（ステップＳ１１０）、接続が許可されたかチェックする（ステップＳ１１１）。
【０２４６】
Ｂｌｕｅｔｏｏｔｈ規格の通信では、接続時に、認証を行うことを必要とするよう設定することができ、その場合、接続時にペアリングという認証が行われる。認証済のデバイス同士であると、リンクを確立するのに必要なリンクキーが記憶されているため、接続が許可される。一方、認証されていないデバイスの場合には、新たにペアリングが必要となるが、このとき、ＰＩＮコードと呼ばれる１６文字以内も文字列を暗号キーとして用いる。このＰＩＮコードが一致しない場合、認証に失敗し、接続は拒否される。なお、ペアリング時の認証には、ＰＩＮコードではなく、独自の暗号を用いた認証を用いたり、ＰＩＮコードと独自の暗号の双方を組み合わせて認証を行ってもよい。
【０２４７】
ステップＳ１１１で、接続が拒否されると、端末１０ａ〜１０ｍは、この新たに発見されたゲートウェイを、接続を拒否されたデバイスとして記憶し、タイマー完了まで待機して（ステップＳ１０５）、タイマーが完了すると、ステップＳ１０２に戻って、上記同様に処理する（ステップＳ１０２〜Ｓ１１１）。
【０２４８】
ステップＳ１１１で、接続が許可されると、端末１０ａ〜１０ｍは、当該新たに発見されたゲートウェイとの接続が確立され、周期的な検索を行う動作モードを終了して、通話可能な状態になる（ステップＳ１１２）。
【０２４９】
なお、上記周期的なゲートウェイ自動検索処理において、上述のように、同じデバイスに対して何度も検索を行わないように、上記記憶したＢｌｕｅｔｏｏｔｈデバイスに関する情報の一部または全部を消去するようようにしてもよい。
【０２５０】
このように、本実施の形態の内線電話システム１は、端末１０ａ〜１０ｍが、いずれのゲートウェイ３ａ〜３ｎにも接続していない状態のときに、Ｂｌｕｅｔｏｏｔｈのインクワイアリー機能及びサービスディスカバリー機能を利用して、周期的にゲートウェイ３ａ〜３ｎイを検索して、ゲートウェイ３ａ〜３ｎを発見すると、音、機械振動、光または表示等の通知方法でゲートウェイ３ａ〜３ｎを発見した旨を通知するとともに、当該ゲートウェイ３ａ〜３ｎと接続を行うか否かの問い合わせの表示を行っている。
【０２５１】
したがって、自動的に最寄りのゲートウェイ３ａ〜３ｎを検索することができ、また、必要に応じて接続することができ、内線電話システム１を安価で、より一層利用性の良好なものとすることができる。
【０２５２】
また、内線電話システム１は、端末１０ａ〜１０ｍがゲートウェイ３ａ〜３ｎを自動的に検索して接続する機能を有している。このゲートウェイ自動検索接続機能について、図２７に基づいて説明する。
【０２５３】
端末１０ａ〜１０ｍは、図２７に示すように、まず、ゲートウェイ３ａ〜３ｎに接続中であるかチェックし（ステップＳ２０１）、接続中のときには、ゲートウェイ３ａ〜３ｎとの接続状態を維持する（ステップＳ２１２）。
【０２５４】
ステップＳ２０１で、ゲートウェイ３ａ〜３ｎと接続中でないときには、タイマーがリセットされると（ステップＳ２０３）、端末１０ａ〜１０ｍは、上記同様に、Ｂｌｕｅｔｏｏｔｈの基本機能であるインクワイアリーを用いて、周囲にあるＢｌｕｅｔｏｏｔｈデバイスの検索を行う（ステップＳ２０３）。このゲートウェイ自動接続においても、タイマーを用いて、ゲートウェイ検索動作を周期的に繰り返し行っており、繰り返し時間は、あまり頻繁に行ってもイーサネットＬＡＮ２のトラフィックを不要に増加させてしまうため、例えば、５分おきに行うよう設定する。
【０２５５】
そして、端末１０ａ〜１０ｍは、デバイスの検索を行うと、新規デバイスを発見したかチェックする（ステップＳ２０４）。この新規デバイスを発見したか否かの判断では、繰り返し検索動作において、一度、ゲートウェイ３ａ〜３ｎでないと判断した機器や接続を拒否されたゲートウェイ３ａ〜３ｎのＢｌｕｅｔｏｏｔｈデバイスアドレスを記録し、この記録に基づいて、新規デバイスを発見したか否かを判断する。
【０２５６】
ステップＳ２０４で、新規デバイスを発見されなかったときには、端末１０ａ〜１０ｍは、同じデバイスに対して何度もゲートウェイかどうかを検索する動作を省略するために、タイマーが完了するまで待機し（ステップＳ２０５）、タイマーが終了すると、ステップＳ２０２に戻って、上記同様に処理する（ステップＳ２０２〜Ｓ２０４）。
【０２５７】
ステップＳ２０４で、新規のＢｌｕｅｔｏｏｔｈ機器（デバイス）を発見すると、端末１０ａ〜１０ｍは、上記同様に、ゲートウェイサービス検索を行い（ステップＳ２０６）、ゲートウェイを発見したかどうかチェックする（ステップＳ２０７）。
【０２５８】
ステップＳ２０７で、ゲートウェイを発見できなかった場合には、端末１０ａ〜１０ｍは、ステップＳ２０４で発見したＢｌｕｅｔｏｏｔｈデバイスはゲートウェイではないことを記録し、タイマー完了まで待機して（ステップＳ２０５）、タイマーが完了すると、ステップＳ２０２に戻って、上記同様に処理する（ステップＳ２０２〜Ｓ２０７）。
【０２５９】
ステップＳ２０７で、ゲートウェイを発見すると、端末１０ａ〜１０ｍは、当該ゲートウェイを発見した回数をカウントするカウンタを「１」だけインクリメントして（ステップＳ２０８）、カウンタのカウント値が予め設定されている規定値になったかチェック、すなわち、予め設定されている規定値の回数だけ当該ゲートウェイを発見したかチェックする（ステップＳ２０９）。すなわち、端末１０ａ〜１０ｍは、ゲートウェイとして発見したデバイスを記憶する機能と、当該ゲートウェイを発見した回数をカウントするカウンタを用いて、そのゲートウェイを何回発見したかを合わせて記憶する機能を有している。
【０２６０】
ステップＳ２０９で、カウンタのカウント値が規定値に達していないときには、端末１０ａ〜１０ｍは、タイマー完了まで待機して（ステップＳ２０５）、タイマーが完了すると、ステップＳ２０２に戻って、上記同様に処理する（ステップＳ２０２〜Ｓ２０７）。そして、この処理においては、ゲートウェイとして一度記録したデバイスに関しては、再度サービスの検出は行わず、インクワイアリーの段階で再度発見された場合に、そのゲートウェイがまだ通信可能圏内にあると判断し、カウンタのカウント値を「１」だけインクリメントする。
【０２６１】
ステップＳ２０９で、カウンタのカウント値が規定値に達すると、端末１０ａ〜１０ｍは、当該カウント値が規定値に達したゲートウェイに対して、上記Ｂｌｕｅｔｏｏｔｈ規格に従って自動的に接続を要求して（ステップＳ２１０）、接続が許可されたかチェックする（ステップＳ２１１）。
【０２６２】
ステップＳ２１１で、接続が拒否されると、端末１０ａ〜１０ｍは、この新たに発見されたゲートウェイを、当該デバイスに対しては、サービス検索を再度行わないようにするために、接続を拒否されたデバイスとして記憶し、タイマー完了まで待機して（ステップＳ２０５）、タイマーが完了すると、ステップＳ２０２に戻って、上記同様に処理する（ステップＳ２０２〜Ｓ２１１）。
【０２６３】
ステップＳ２１１で、接続が許可されると、端末１０ａ〜１０ｍは、当該新たに発見されたゲートウェイとの接続が確立され、周期的な検索を行う動作モードを終了して、通話可能な状態になる（ステップＳ２１２）。
【０２６４】
このように、本実施の形態の内線電話システム１は、端末１０ａ〜１０ｍが、いずれのゲートウェイ３ａ〜３ｎにも接続していない状態のときに、Ｂｌｕｅｔｏｏｔｈのインクワイアリー機能及びサービスディスカバリー機能を利用して、周期的にゲートウェイ３ａ〜３ｎを検索し、当該周期的なゲートウェイ３ａ〜３ｎの検索で一定時間以上同じゲートウェイ３ａ〜３ｎを発見し続けると、当該ゲートウェイ３ａ〜３ｎに自動的に接続している。
【０２６５】
したがって、自動的にゲートウェイ３ａ〜３ｎに接続して、着信を受けることができ、内線電話システム１を安価で、より一層利用性の良好なものとすることができる。
【０２６６】
なお、上記図２６のゲートウェイ自動検索及び図２７のゲートウェイ自動接続処理で、複数のゲートウェイ３ａ〜３ｎが発見されると、ゲートウェイ３ａ〜３ｎからの電波受信強度が強い方が近くにあると判断して、端末１０ａ〜１０ｍがそのゲートウェイ３ａ〜３ｎに接続するようしてもよい。この場合、電波強度の比較は、ホストコントローラーインターフェイスを用いて、Ｂｌｕｅｔｏｏｔｈのリンクマネージャー（ＬＭ）から電波強度レベルを得ることで行い、端末１０ａ〜１０ｍは、電波強度の大きい方に接続する。
【０２６７】
また、末所有者が、図２６のゲートウェイ自動検索及び図２７のゲートウェイ自動接続処理を端末１０ａ〜１０ｍを使用して実行することで、手動で検索及び接続を行ってもよい。
【０２６８】
このようにすると、複数のゲートウェイ３ａ〜３ｎが通信可能圏内にある場合に、電波受信強度が強い方が近くにあると判断して接続先として選択することができ、内線電話システム１を安価で、より一層利用性の良好なものとすることができる。
【０２６９】
また、内線電話システム１は、ゲートウェイ３ａ〜３ｎが端末１０ａ〜１０ｍを自動的に検索する機能を有している。この端末自動検索機能について、図２８に基づいて説明する。
【０２７０】
ゲートウェイ３ａ〜３ｎは、図２８に示すように、まず、タイマーがリセットされると（ステップＳ３０１）、Ｂｌｕｅｔｏｏｔｈの基本機能であるインクワイアリーを用いて、上記同様に、周囲にあるＢｌｕｅｔｏｏｔｈデバイスの検索を行う（ステップＳ３０２）。この端末自動検索においては、タイマーを用いて、端末検索動作を周期的に繰り返し行っており、繰り返し時間は、あまり頻繁に行ってもイーサネットＬＡＮ２のトラフィックを不要に増加させてしまうため、例えば、５分おきに行うよう設定する。
【０２７１】
そして、ゲートウェイ３ａ〜３ｎは、デバイスの検索を行うと、新規デバイスを発見したかチェックする（ステップＳ３０３）。この新規デバイスを発見したか否かの判断では、繰り返し検索動作において、一度、端末でないと判断した機器や接続を拒否された端末のＢｌｕｅｔｏｏｔｈデバイスアドレスを記録し、この記録に基づいて、新規デバイスを発見したか否かを判断する。
【０２７２】
ステップＳ３０３で、新規デバイスを発見されなかったときには、同じデバイスに対して何度もゲートウェイかどうかを検索する動作を省略するために、タイマーが完了するまで待機し（ステップＳ３０４）、タイマーが終了すると、ステップＳ３０１に戻って、上記同様に処理する（ステップＳ３０１〜Ｓ３０３）。
【０２７３】
ステップＳ３０３で、新規のＢｌｕｅｔｏｏｔｈ機器を発見すると、ゲートウェイ３ａ〜３ｎは、クライアントサービス検索を行い（ステップＳ３０５）、クライアント端末１０ａ〜１０ｍを発見したかどうかチェックする（ステップＳ３０６）。このクライアントサービス検索では、クライアントサービスのサービス識別子をもったデバイスの検索を行う。
【０２７４】
ステップＳ３０６で、クライアント端末１０ａ〜１０ｍを発見できなかった場合には、ゲートウェイ３ａ〜３ｎは、ステップＳ３０３で発見したＢｌｕｅｔｏｏｔｈデバイスはクライアント端末１０ａ〜１０ｍではないことを記録し、タイマー完了まで待機して（ステップＳ３０４）、タイマーが完了すると、ステップＳ３０１に戻って、上記同様に処理する（ステップＳ３０１〜Ｓ３０６）。
【０２７５】
ステップＳ３０６で、クライアント端末１０ａ〜１０ｍを発見すると、ゲートウェイ３ａ〜３ｎは、発見したことを当該クライアント端末１０ａ〜１０ｍの所有者に通知し（ステップＳ３０７）、接続を希望するかチェックする（ステップＳ３０８）。このクライアント端末１０ａ〜１０ｍの発見の通知は、例えば、ゲートウェイ３ａ〜３ｎが、発見したクライアント端末１０ａ〜１０ｍに対して着信を発するような命令を行い、当該命令を受け取った端末１０ａ〜１０ｍが、当該命令に応じて、着信音等を発生させることで、当該端末１０ａ〜１０ｍの所有者に知らせる方法、または、当該発見されたクライアント端末１０ａ〜１０ｍが、ゲートウェイ３ａ〜３ｎからゲートウェイ３ａ〜３ｎのクライアント端末を示すサービス識別子に関する内容のサービス検索が行われたイベントを検出すると、着信音等を発生することで、所有者に知らせる方法等を用いることができる。
【０２７６】
次に、通知を受けたクライアント端末１０ａ〜１０ｍは、当該端末１０ａ〜１０ｍの所有者が接続を許可するか否かを当該端末１０ａ〜１０ｍを操作して、当該操作に応じて、応答する。この場合、端末１０ａ〜１０ｍでは、全ての接続を自動的に許可するように設定されていると、当該設定に応じて応答する。
【０２７７】
ステップＳ３０８で、所有者が接続を希望しないときには、ゲートウェイ３ａ〜３ｎは、当該発見した端末１０ａ〜１０ｍを、発見端末１０ａ〜１０ｍとして登録し、タイマー完了まで待機して（ステップＳ３０４）、タイマーが完了すると、ステップＳ３０１に戻って、上記同様に処理する（ステップＳ３０１〜Ｓ３０８）。
【０２７８】
ステップＳ３０８で、端末１０ａ〜１０ｍの所有者が接続を希望すると、端末１０ａ〜１０ｍがゲートウェイ３ａ〜３ｎに対して接続を要求し（ステップＳ３０９）、接続が許可されると（ステップＳ３１０）、通話可能な状態になる（ステップＳ３１１）。
【０２７９】
また、ゲートウェイ３ａ〜３ｎは、元々接続要求に対して、許可しない端末１０ａ〜１０ｍに対しては、ステップＳ３０７で、発見したことを、当該端末１０ａ〜１０ｍの所有者に通知するのみで、接続を希望するかどうかの問い合わせを行わないようしてもよい。この端末１０ａ〜１０ｍが接続を許可しない端末１０ａ〜１０ｍであるかどうかは、例えば、接続を許可するＢｌｕｅｔｏｏｔｈデバイスアドレスのリストを登録するか、データベース５に接続して、当該データベース５に接続を許可するＢｌｕｅｔｏｏｔｈデバイスアドレスのリストから接続が許可されているかどうかの照合を行って、発見した端末１０ａ〜１０ｍが接続を許可しない端末１０ａ〜１０ｍかどうか判別する。
【０２８０】
また、接続を許可しない端末１０ａ〜１０ｍであることが、クライアントサービスの検索を行う前に判別したときには、クライアントサービスの検出も行わないようにしてもよい。
【０２８１】
そして、端末１０ａ〜１０ｍが接続を許可しない端末１０ａ〜１０ｍであるときには、ステップＳ３１０で、接続が許可されず、ゲートウェイ３ａ〜３ｎは、タイマー完了まで待機して（ステップＳ３０４）、タイマーが完了すると、ステップＳ３０１に戻って、上記同様に処理する（ステップＳ３０１〜Ｓ３０６）。
【０２８２】
このように、本実施の形態の内線電話システム１は、ゲートウェイ３ａ〜３ｎが、Ｂｌｕｅｔｏｏｔｈのインクワイアリー機能及びサービスディスカバリー機能を利用して、周期的に端末１０ａ〜１０ｍを検索して、端末１０ａ〜１０ｍを発見すると、当該発見した端末１０ａ〜１０ｍに音、機械振動、光または表示等を行わせる通知方法でゲートウェイ３ａ〜３ｎを発見した旨を当該端末１０ａ〜１０ｍに通知するとともに、当該ゲートウェイ３ａ〜３ｎと接続を行うか否かの問い合わせの表示を当該端末１０ａ〜１０ｍに行わせている。
【０２８３】
したがって、自動的に近くにある端末１０ａ〜１０ｍを検索することができ、また、必要に応じて接続することができ、内線電話システム１を安価で、より一層利用性の良好なものとすることができる。
【０２８４】
さらに、内線電話システム１は、ゲートウェイ３ａ〜３ｎが端末１０ａ〜１０ｍを自動的に検索して自動的に接続する機能を有している。この端末自動検索接続機能について、図２９に基づいて説明する。
【０２８５】
ゲートウェイ３ａ〜３ｎは、図２９に示すように、まず、タイマーがリセットされると（ステップＳ４０１）、Ｂｌｕｅｔｏｏｔｈの基本機能であるインクワイアリーを用いて、上記同様に、周囲にあるＢｌｕｅｔｏｏｔｈデバイスの検索を行う（ステップＳ４０２）。この端末自動検索においては、タイマーを用いて、端末検索動作を周期的に繰り返し行っており、繰り返し時間は、あまり頻繁に行ってもイーサネットＬＡＮ２のトラフィックを不要に増加させてしまうため、例えば、５分おきに行うよう設定する。
【０２８６】
そして、ゲートウェイ３ａ〜３ｎは、デバイスの検索を行うと、新規デバイスを発見したかチェックする（ステップＳ４０３）。この新規デバイスを発見したか否かの判断では、繰り返し検索動作において、一度、端末でないと判断した機器や接続を拒否された端末のＢｌｕｅｔｏｏｔｈデバイスアドレスを記録し、この記録に基づいて、新規デバイスを発見したか否かを判断する。
【０２８７】
ステップＳ４０３で、新規デバイスを発見されなかったときには、ゲートウェイ３ａ〜３ｎは、同じデバイスに対して何度もゲートウェイかどうかを検索する動作を省略するために、タイマーが完了するまで待機し（ステップＳ４０４）、タイマーが終了すると、ステップＳ４０１に戻って、上記同様に処理する（ステップＳ４０１〜Ｓ４０３）。
【０２８８】
ステップＳ４０３で、新規のＢｌｕｅｔｏｏｔｈ機器を発見すると、ゲートウェイ３ａ〜３ｎは、クライアントサービスのサービス識別子をもったデバイスの検索を行うことで、クライアントサービス検索を行い（ステップＳ４０５）、クライアント端末１０ａ〜１０ｍを発見したかどうかチェックする（ステップＳ４０６）。
【０２８９】
ステップＳ４０６で、クライアント端末１０ａ〜１０ｍを発見できなかった場合には、ゲートウェイ３ａ〜３ｎは、ステップＳ３０３で発見したＢｌｕｅｔｏｏｔｈデバイスはクライアント端末１０ａ〜１０ｍではないことを記録し、タイマー完了まで待機して（ステップＳ４０４）、タイマーが完了すると、ステップＳ４０１に戻って、上記同様に処理する（ステップＳ４０１〜Ｓ４０６）。
【０２９０】
ステップＳ４０６で、クライアント端末１０ａ〜１０ｍを発見すると、ゲートウェイ３ａ〜３ｎは、ゲートウェイ３ａ〜３ｎは、当該クライアント端末１０ａ〜１０ｍを発見した回数をカウントするカウンタを「１」だけインクリメントして（ステップＳ４０７）、カウンタのカウント値が予め設定されている規定値になったかチェック、すなわち、予め設定されている規定値の回数だけ当該クライアント端末１０ａ〜１０ｍを発見したかチェックする（ステップＳ４０８）。すなわち、ゲートウェイ３ａ〜３ｎは、クライアント端末１０ａ〜１０ｍとして発見したデバイスを記憶する機能と、当該クライアント端末１０ａ〜１０ｍを発見した回数をカウントするカウンタを用いて、その端末１０ａ〜１０ｍを何回発見したかを合わせて記憶する機能を有している。
【０２９１】
ステップＳ４０８で、カウンタのカウント値が規定値に達していないときには、ゲートウェイ３ａ〜３ｎは、タイマー完了まで待機して（ステップＳ４０４）、タイマーが完了すると、ステップＳ４０１に戻って、上記同様に処理する（ステップＳ４０１〜Ｓ４０８）。そして、この処理においては、クライアント端末１０ａ〜１０ｍとして一度記録したデバイスに関しては、再度サービスの検出は行わず、インクワイアリーの段階で再度発見された場合に、そのクライアント端末１０ａ〜１０ｍがまだ通信可能圏内にあると判断し、カウンタのカウント値を「１」だけインクリメントする。
【０２９２】
ステップＳ４０８で、カウンタのカウント値が規定値に達すると、ゲートウェイ３ａ〜３ｎは、当該カウント値が規定値に達したクライアント端末に対して、上記Ｂｌｕｅｔｏｏｔｈ規格に従って自動的に接続を要求して（ステップＳ４０９）、接続が許可されたかチェックする（ステップＳ４１０）。
【０２９３】
ステップＳ４１０で、接続が拒否されると、ゲートウェイ３ａ〜３ｎは、この新たに発見されたクライアント端末を、当該デバイスに対しては、サービス検索を再度行わないようにするために、接続を拒否されたデバイスとして記憶し、タイマー完了まで待機して（ステップＳ４０４）、タイマーが完了すると、ステップＳ４０１に戻って、上記同様に処理する（ステップＳ４０１〜Ｓ４０４）。
【０２９４】
ステップＳ４１０で、接続が許可されると、ゲートウェイ３ａ〜３ｎと当該新たに発見されたクライアント端末１０ａ〜１０ｍとの接続が確立され、周期的な検索を行う動作モードを終了して、通話可能な状態になる（ステップＳ４１１）。
【０２９５】
このように、本実施の形態の内線電話システム１は、ゲートウェイ３ａ〜３ｎが、Ｂｌｕｅｔｏｏｔｈのインクワイアリー機能及びサービスディスカバリー機能を利用して、周期的に端末１０ａ〜１０ｍを検索し、当該周期的な端末１０ａ〜１０ｍの検索で一定時間以上同じ端末１０ａ〜１０ｍを発見し続けると、当該端末１０ａ〜１０ｍに自動的に接続している。
【０２９６】
したがって、ゲートウェイ３ａ〜３ｎが、一定時間以上の通信可能圏内にある端末１０ａ〜１０ｍに対して、自動的に接続することができ、内線電話システム１を安価で、より一層利用性の良好なものとすることができる。
【０２９７】
なお、上記説明においては、音声通話を行う場合を中心として説明したが、端末１０ａ〜１０ｍ同士でディジタルのデータ通信を行なう場合にも同様に適用することができる。例えば、音声のＩＰパケット化を端末１０ａ〜１０ｍで行う端末１０ａ〜１０ｍは、イーサネットＬＡＮ２において、ＴＣＰ／ＩＰ上で動作するチャットソフトを用いて、チャットを行なうことができる。
【０２９８】
以上、本発明者によってなされた発明を好適な実施の形態に基づき具体的に説明したが、本発明は上記のものに限定されるものではなく、その要旨を逸脱しない範囲で種々変更可能であることはいうまでもない。
【０２９９】
【発明の効果】
請求項１記載の発明の内線電話システムによれば、イーサネットＬＡＮに接続され当該イーサネットＬＡＮを介して相互に通信を行う複数のゲートウェイと、複数の端末とがＢｌｕｅｔｏｏｔｈ規格による音声通信を行うに際して、ゲートウェイが、Ｂｌｕｅｔｏｏｔｈ規格で音声通信可能な音声データとイーサネットＬＡＮ上で通信可能なＩＰパケットとを相互に変換して、当該イーサネットＬＡＮ上で音声データ通信を行い、端末が、複数のゲートウェイのうち最寄りのゲートウェイ及び当該イーサネットＬＡＮを介して他の端末に対して通話要求を発信し、当該他の端末が、当該他の端末の最寄りのゲートウェイを介して当該通話要求を着信して、当該端末同士が、当該ゲートウェイ及び当該イーサネットＬＡＮを介して音声通話を行うので、専用の電話回線を引くことなく、また、従来のように２つの携帯電話端末を持ち歩くことなく、音声とＩＰパケットとを変換する機能を有するイーサネットＬＡＮに接続されたゲートウェイとＢｌｕｅｔｏｏｔｈによる音声データの通信を行う２つの端末間でイーサネットＬＡＮ回線を利用して通話することができ、専用の電話回線を引くコストを削減することができるとともに、利用性を向上させることができる。
【０３００】
請求項２記載の発明の内線電話システムによれば、イーサネットＬＡＮに接続され当該イーサネットＬＡＮを介して相互に通信を行う複数のゲートウェイと、複数の端末とがＢｌｕｅｔｏｏｔｈ規格による音声通信を行うに際して、端末が、音声とイーサネットＬＡＮ上で通信可能なＩＰパケットとを相互に変換し、ゲートウェイが、ＢｌｕｅｔｏｏｔｈのＬＡＮ・アクセス・プロファイルのサーバまたはイーサネットＬＡＮに接続されているＰＡＮのゲートウェイとして機能し、端末が、ＢｌｕｅｔｏｏｔｈのＬＡＮ・アクセス・プロファイルのクライアントとしてサーバに接続する機能を有して、当該機能により当該ゲートウェイを介してイーサネットＬＡＮにアクセスするとともに、ゲートウェイ及びイーサネットＬＡＮを介して、ＩＰパケットによる音声データ通信を行なう機能を有し、当該端末が、複数のゲートウェイのうち最寄りのゲートウェイ及び当該イーサネットＬＡＮを介して他の端末に対して通話要求を発信し、当該他の端末が、当該他の端末の最寄りのゲートウェイを介して当該通話要求を着信して、当該端末同士が、当該ゲートウェイ及び当該イーサネットＬＡＮを介しての音声通話を行うので、専用の電話回線を引くことなく、また、従来のように２つの携帯電話端末を持ち歩くことなく、音声とＩＰパケットとを変換する端末で、イーサネットＬＡＮに接続されたゲートウェイとＰＰＰを用いたＬＡＮアクセスプロファイル、または、ＰＡＮプロファイルにより接続して、イーサネットＬＡＮ上で音声データの通信を行うことができ、専用の電話回線を引くコストを削減することができるとともに、利用性を向上させることができる。
【０３０１】
請求項３記載の発明の内線電話システムによれば、イーサネットＬＡＮに、一般加入電話回線の接続された外線用ゲートウェイが接続されていて、当該外線用ゲートウェイが、当該イーサネットＬＡＮ上のＩＰパケットによる音声データと一般加入電話回線の音声通信とを変換する機能及び着信信号と発信信号の変換を行なう機能を有し、一般加入電話回線からの外線番号による端末の呼び出しと、端末からの一般加入電話回線への外線発信とを行い、一般加入電話回線で通信可能な電話端末と端末との音声通話を可能としているので、イーサネットＬＡＮ回線を利用した端末間の通話と一般加入電話回線の電話と端末との接続を可能にして、外線発信や外線からの着信及び通話を可能にすることができ、内線電話システムを安価で、より一層利用性の良好なものとすることができる。
【０３０２】
請求項４記載の発明の内線電話システムによれば、イーサネットＬＡＮに、端末の位置情報及び識別情報を管理するデータベースが接続されていて、ゲートウェイが、自身に接続していて着信を受けることのできる端末の識別情報を取得し、データベースが、少なくともゲートウェイのイーサネットＬＡＮ上の識別情報と当該ゲートウェイに接続している端末の識別情報及び当該端末の所有者を識別する情報を組にして管理するとともに、イーサネットＬＡＮに外線用ゲートウェイが接続されている場合には、当該外線用ゲートウェイに接続されている一般加入電話回線の外線電話の電話番号と当該電話番号の所有者の識別情報を登録して管理し、ゲートウェイが、自身に接続している端末に関する情報に変更があると、データベースに変更内容を通知し、データベースが、当該通知に基づいて当該通知のあった端末に関する登録情報を変更し、ゲートウェイが、当該データベースを参照して、接続先のゲートウェイを検索して通信の制御を行なうので、端末が通話を行なう際に、どのゲートウェイに接続されているかを正確に知ることができるようにして、ゲートウェイ同士のイーサネットＬＡＮ上の通信路を容易に確立することができ、端末同士の通話を速やかに行って、内線電話システムを安価で、より一層利用性の良好なものとすることができる。
【０３０３】
請求項５記載の発明の内線電話システムによれば、端末が、ゲートウェイの有している端末とデータベースとのデータ通信の仲介機能を利用して、または、当該端末の有しているＬＡＮ・アクセス機能を用いて、ゲートウェイを介してデータベースにアクセスし、通話相手を当該データベースから検索して、当該検索結果で特定した相手先に対して発信するので、通話したい相手の電話番号等の情報が分からない場合にも、氏名や部署名等の断片的な手掛かりを元に、相手を特定して、当該相手に発信を行なうことができ、内線電話システムを安価で、より一層利用性の良好なものとすることができる。
【０３０４】
請求項６記載の発明の内線電話システムによれば、データベースに、ゲートウェイの物理的な位置情報をも記録し、端末が、ゲートウェイの有している端末とデータベースとのデータ通信の仲介機能を利用して、または、当該端末の有しているＬＡＮ・アクセス機能を用いて、ゲートウェイを介してデータベースにアクセスし、当該端末の所有者の現在位置を取得するので、相手の接続しているゲートウェイの位置情報から接続している相手の現在位置が分かるようにすることができ、内線電話システムを安価で、より一層利用性の良好なものとすることができる。
【０３０５】
請求項７記載の発明の内線電話システムによれば、端末が、他の端末から着信を受けると、データベースから当該発信側の端末の所有者の識別情報を取得するので、端末のメモリに記録されていない発信者からの着信であっても、データベースから情報を入手して、着信の相手先が誰であるかが分かるようにして、円滑な応対や不用な電話への応対を拒否できるようにすることができ、内線電話システムを安価で、より一層利用性の良好なものとすることができる。
【０３０６】
請求項８記載の発明の内線電話システムによれば、イーサネットＬＡＮが、一般加入電話回線に接続された外線用ゲートウェイに接続されていて、端末の少なくとも１つが、当該一般加入電話回線を介して通話可能な携帯電話端末、ＰＨＳ端末等の外線無線携帯端末として機能し、当該外線無線携帯端末としての機能を有する端末の外線電話番号をデータベースに登録して、当該端末への発信に際して、当該端末が一般加入電話回線に接続されていると、当該データベースに登録されている外線電話番号に転送するので、外線電話番号先にも転送することができ、内線電話システムを安価で、より一層利用性の良好なものとすることができる。
【０３０７】
請求項９記載の発明の内線電話システムによれば、イーサネットＬＡＮに、留守番電話サービスを行う留守番電話サービスサーバが接続されていて、端末毎に、データベースに当該留守番電話サービスを利用する旨が登録可能であり、当該留守番電話サービスを利用する旨の登録されている端末に通話要求があると、ゲートウェイに当該通話要求を留守番電話サービスサーバに接続させ、当該留守番電話サービスサーバが、当該通話要求元の相手の端末宛の留守番電話メッセージを録音し、当該端末が、留守番電話サービスサーバから自己宛の留守番電話メッセージを取得可能とするので、不在時等の端末への着信に出ることのできない場合に留守番電話メッセージを録音することができ、内線電話システムを安価で、より一層利用性の良好なものとすることができる。
【０３０８】
請求項１０記載の発明の内線電話システムによれば、データベースに、端末の所有者の指定する電子メールアドレスを当該所有者を特定して登録し、留守番電話サービスサーバが、留守番電話メッセージを録音すると、当該留守番電話メッセージの宛先の端末の所有者の電子メールアドレスをデータベースから取得して、当該電子メールアドレス宛に少なくとも留守番電話メッセージが録音されている旨を電子メールで通知し、当該所有者の指定に応じて、録音している留守番電話メッセージを電子メールに添付して送信するので、留守番電話メッセージがあることが端末の所有者に分かるようにすることができ、また、留守番電話メッセージを電子メールで直接受け取れるようにすることができ、内線電話システムを安価で、より一層利用性の良好なものとすることができる。
【０３０９】
請求項１１記載の発明の内線電話システムによれば、端末が、特定のゲートウェイからの自己宛以外の着信を代わりに受ける代理応答可能状態に設定可能であり、ゲートウェイが、着信のあった端末が代理応答依頼状態に設定されていると、着信を受けることのできない状態であるか、着信を拒否する場合に、着信先を特定のゲートウェイに切り換えて着信させ、当該着信を受けた特定のゲートウェイが、当該着信を代理応答可能状態に設定されている端末に接続し、当該代理応答可能状態の端末が、当該着信を代理で受けて通話するので、着信を受けることのできない端末に変わって他の端末で代理応答することができ、内線電話システムを安価で、より一層利用性の良好なものとすることができる。
【０３１０】
請求項１２記載の発明の内線電話システムによれば、端末を、着信音を消して、機械振動等で着信を通知するマナーモードを有し、当該マナーモードに設定されている状態で、特定のゲートウェイに接続すると、少なくとも当該ゲートウェイに接続している間は、当該マナーモードを自動解除するマナーモード自動解除機能を備えたものとしているので、着信音を発声させることのできない場所でマナーモードに設定しても、例えば、オフィスの自分の席のように、マナーモードを使用する必要のない場所では、マナーモードを解除するのを忘れていても自動的に解除することができ、着信に対して適切に対応できるようにして、内線電話システムを安価で、より一層利用性の良好なものとすることができる。
【０３１１】
請求項１３記載の発明の内線電話システムによれば、端末が、いずれのゲートウェイにも接続していない状態のときに、Ｂｌｕｅｔｏｏｔｈのインクワイアリー機能及びサービスディスカバリー機能を利用して、周期的にゲートウェイを検索して、ゲートウェイを発見すると、音、機械振動、光または表示等の通知方法でゲートウェイを発見した旨を通知するとともに、当該ゲートウェイと接続を行うか否かの問い合わせの表示を行うので、自動的に最寄りのゲートウェイを検索することができ、また、必要に応じて接続することができ、内線電話システムを安価で、より一層利用性の良好なものとすることができる。
【０３１２】
請求項１４記載の発明の内線電話システムによれば、端末が、いずれのゲートウェイにも接続していない状態のときに、Ｂｌｕｅｔｏｏｔｈのインクワイアリー機能及びサービスディスカバリー機能を利用して、周期的にゲートウェイを検索し、当該周期的なゲートウェイの検索で一定時間以上同じゲートウェイを発見し続けると、当該ゲートウェイに自動的に接続するので、自動的にゲートウェイに接続して、着信を受けることができ、内線電話システムを安価で、より一層利用性の良好なものとすることができる。
【０３１３】
請求項１５記載の発明の内線電話システムによれば、端末が、いずれのゲートウェイにも接続していない状態のときに、Ｂｌｕｅｔｏｏｔｈのインクワイアリー機能及びサービスディスカバリー機能を利用して、周期的にゲートウェイを検索して、当該周期的なゲートウェイの検索で一定時間以上複数のゲートウェイを発見し続けると、ゲートウェイとの接続時に、当該複数のゲートウェイのうち、受信電波強度の強い方のゲートウェイを接続先として選択して接続するので、複数のゲートウェイが通信可能圏内にある場合に、電波受信強度が強い方が近くにあると判断して接続先として選択することができ、内線電話システムを安価で、より一層利用性の良好なものとすることができる。
【０３１４】
請求項１６記載の発明の内線電話システムによれば、ゲートウェイが、Ｂｌｕｅｔｏｏｔｈのインクワイアリー機能及びサービスディスカバリー機能を利用して、周期的に端末を検索して、端末を発見すると、当該発見した端末に音、機械振動、光または表示等を行わせる通知方法でゲートウェイを発見した旨を当該端末に通知するとともに、当該ゲートウェイと接続を行うか否かの問い合わせの表示を当該端末に行わせるので、自動的に近くにある端末を検索することができ、また、必要に応じて接続することができ、内線電話システムを安価で、より一層利用性の良好なものとすることができる。
【０３１５】
請求項１７記載の発明の内線電話システムによれば、ゲートウェイが、Ｂｌｕｅｔｏｏｔｈのインクワイアリー機能及びサービスディスカバリー機能を利用して、周期的に端末を検索し、当該周期的な端末の検索で一定時間以上同じ端末を発見し続けると、当該端末に自動的に接続するので、ゲートウェイが、一定時間以上の通信可能圏内にある端末に対して、自動的に接続することができ、内線電話システムを安価で、より一層利用性の良好なものとすることができる。
【０３１６】
請求項１８記載の発明の内線電話システムによれば、ゲートウェイとして、データベースにアクセスして当該データベースを検索する情報処理機能を備えたゲートウェイが、発信時、当該データベースを検索し、当該検索結果から当該情報処理機能を備えるゲートウェイの操作者が所望の通信相手を選択すると、当該選択された通信相手先に発信を行うとともに、当該ゲートウェイに接続している端末を、当該発信に対する応答待ち受け状態に制御し、発信相手の端末が応答すると、当該待ち受け状態の端末との通信を可能とするので、ゲートウェイの機能を有したパーソナルコンピュータ等を操作して、当該パーソナルコンピュータ等のゲートウェイを親機とし、当該パーソナルコンピュータを操作する人の所有する端末を子機として、他の端末と通話を行えるようにして、端末を操作するよりも操作の行いやすいパーソナルコンピュータ等で操作して、端末を使用した通話を行うことができ、内線電話システムを安価で、より一層利用性の良好なものとすることができる。
【０３１７】
請求項１９記載の発明の内線電話システムによれば、情報処理機能を備えたゲートウェイが、所定の表示装置を備え、接続している端末に対して着信があると、当該着信の発信者の識別情報を表示装置に表示するので、発信者の識別情報を端末よりも大きな表示画面のパーソナルコンピュータ等の表示画面に表示することができ、内線電話システムを安価で、より一層利用性の良好なものとすることができる。
【図面の簡単な説明】
【図１】本発明の内線電話システムの一実施の形態を適用した内線電話システムのシステム構成図。
【図２】Ｂｌｕｅｔｏｏｔｈプロトコルスタックの要部を示す図。
【図３】図２のＷＡＰの詳細な構成図。
【図４】Ｂｌｕｅｔｏｏｔｈで音声通信を行なう際のＳＣＯパケットの構成の例を示す図。
【図５】ＶｏＩＰを用いてイーサネットＬＡＮ上で音声通話を行なう際のパケットの構成例を示す図。
【図６】ＢｌｕｅｔｏｏｔｈのＷＡＰのパケットの構成例を示す図。
【図７】図１の端末の１つの端末Ａが他の端末Ｂに発信を行うときの通信路の決定処理のタイムチャート。
【図８】音声のパケット化をゲートウェイで行う場合の端末間での音声通信処理のタイムチャート。
【図９】音声のパケット化をゲートウェイで行う場合の端末間での音声通信処理を示すフローチャート。
【図１０】音声のパケット化を端末で行う場合の端末間での音声通信処理のタイムチャート。
【図１１】音声のパケット化を端末で行う場合の端末間での音声通信処理を示すフローチャート。
【図１２】音声のパケット化をゲートウェイで行う方式と音声のパケット化を端末で行う方式が混在している場合の音声通信処理のタイムチャート。
【図１３】外線端末からの発信による外線端末と端末との音声通話処理のタイムチャート。
【図１４】端末から外線端末への発信による端末と外線端末との音声通話処理のタイムチャート。
【図１５】外線端末からの発信による外線端末と端末との音声通話処理のフローチャート（ａ）と端末から外線端末への発信による端末と外線端末との音声通話処理を示すフローチャート（ｂ）。
【図１６】端末からのデータベースの検索処理のタイムチャート。
【図１７】発信側のゲートウェイがデータベースから発信者情報を取得して着信側の端末に表示する発信者情報表示処理のタイムチャート。
【図１８】着信側のゲートウェイがデータベースから発信者情報を取得して着信側の端末に表示する発信者情報表示処理のタイムチャート。
【図１９】着信側のゲートウェイが発信側のゲートウェイから発信者を特定する情報を受け取って着信側のゲートウェイがデータベースから発信者情報を検索して発信者情報を着信側の端末に表示する発信者情報表示処理のタイムチャート。
【図２０】着信側の端末が発信者情報表示処理で発信者を確認した後に通話を行う場合の発信者情報表示処理のタイムチャート。
【図２１】イーサネットＬＡＮ上のゲートウェイとしての情報機器が親機となり、この情報機器に接続する端末を子機として使用した端末間での通話処理のタイムチャート。
【図２２】イーサネットＬＡＮ上のゲートウェイとしての情報機器が親機となり、この情報機器に接続する端末を子機として使用した端末間での通話処理での発信者情報表示処理のタイムチャート。
【図２３】イーサネットＬＡＮに接続する端末から外線に接続している端末へ発呼して通話を行う場合の通話処理のタイムチャート。
【図２４】内線電話システムの留守番電話サービス処理のタイムチャート。
【図２５】内線電話システムの代理応答処理のタイムチャート。
【図２６】端末がゲートウェイを自動検索するゲートウェイ自動検索処理を示すフローチャート。
【図２７】端末がゲートウェイを自動検索して自動的に接続するゲートウェイ自動検索接続処理を示すフローチャート。
【図２８】ゲートウェイが端末を自動的に検索する端末自動検索処理を示すフローチャート。
【図２９】ゲートウェイが端末を自動的に検索して自動的に接続する端末自動検索接続処理を示すフローチャート。
【符号の説明】
１　内線電話システム
２　イーサネットＬＡＮ
３ａ〜３ｎ　ゲートウェイ
４　外線ゲートウェイ
５　データベース
６　留守電サーバ
１０ａ〜１０ｍ　端末
２０　一般電話回線
２１　一般加入電話端末
２２　一般携帯端末
２３　基地局
【図１】
2004104531.tif 000003
【図２】
2004104531.tif 000004
【図３】
2004104531.tif 000005
【図４】
2004104531.tif 000006
【図５】
2004104531.tif 000007
【図６】
2004104531.tif 000008
【図７】
2004104531.tif 000009
【図８】
2004104531.tif 000010
【図９】
2004104531.tif 000011
【図１０】
2004104531.tif 000012
【図１１】
2004104531.tif 000013
【図１２】
2004104531.tif 000014
【図１３】
2004104531.tif 000015
【図１４】
2004104531.tif 000016
【図１５】
2004104531.tif 000017
【図１６】
2004104531.tif 000018
【図１７】
2004104531.tif 000019
【図１８】
2004104531.tif 000020
【図１９】
2004104531.tif 000021
【図２０】
2004104531.tif 000022
【図２１】
2004104531.tif 000023
【図２２】
2004104531.tif 000024
【図２３】
2004104531.tif 000025
【図２４】
2004104531.tif 000026
【図２５】
2004104531.tif 000027
【図２６】
2004104531.tif 000028
【図２７】
2004104531.tif 000029
【図２８】
2004104531.tif 000030
【図２９】
2004104531.tif 000031